(57)【要約】本発明は、複数のアンテナを利用して複数の無線通信機能を同時に実施しても、アンテナ結合により各アンテナ素子のアンテナ特性が劣化することを低減することができる携帯端末装置を提供することを目的とする。  本発明の携帯端末装置１は、第１の周波数帯の電波を利用して、無線通信を行う第１の無線部１２と、前記第１の周波数帯とは帯域の異なる第２の周波数帯の電波を利用して、無線通信を行う第２の無線部２２と、前記第１の無線部１２に接続された第１のアンテナ素子１１と、前記第２の無線部２２に接続された第２のアンテナ素子２１と、を備え、前記第１のアンテナ素子１１のインピーダンス特性が、少なくとも前記第１の周波数帯における特性が前記第２の周波数帯における特性より優れた第１の周波数特性を有し、前記第２のアンテナ素子２１のインピーダンス特性が、少なくとも前記第２の周波数帯における特性が前記第１の周波数帯における特性より優れた第２の周波数特性を有する、ものである。
2007083390.tif 000002
【特許請求の範囲】
【請求項１】
第１の周波数帯の電波を利用して、無線通信を行う第１の無線部と、
前記第１の周波数帯とは帯域の異なる第２の周波数帯の電波を利用して、無線通信を行う第２の無線部と、
前記第１の無線部に接続された第１のアンテナ素子と、
前記第２の無線部に接続された第２のアンテナ素子と、を備え、
前記第１のアンテナ素子のインピーダンス特性は、少なくとも前記第１の周波数帯における特性が前記第２の周波数帯における特性より優れた第１の周波数特性を有し、
前記第２のアンテナ素子のインピーダンス特性は、少なくとも前記第２の周波数帯における特性が前記第１の周波数帯における特性より優れた第２の周波数特性を有する、
携帯端末装置。
【請求項２】
請求項１記載の携帯端末装置であって、
前記アンテナ素子のうちのいずれか１つを前記第１の無線部に接続し、前記第１の無線部に接続していない前記アンテナ素子のうちのいずれか１つを前記第２の無線部に接続する切替スイッチを備え、
前記アンテナ素子は、前記第１の周波数特性または前記第２の周波数特性にその特性を切替可能な構造であって、前記第１の無線部に接続されているときは前記第１の周波数特性に切り替えられ、前記第２の無線部に接続されているときは前記第２の周波数特性に切り替えられる、
携帯端末装置。
【請求項３】
第１の周波数帯の電波を利用して、無線通信を行う第１の無線部と、
前記第１の周波数帯とは帯域の異なる第２の周波数帯の電波を利用して、無線通信を行う第２の無線部と、
第１のアンテナ素子と、
第２のアンテナ素子と、
前記第１の無線部に接続され、前記第１のアンテナ素子とのインピーダンス特性を調整する、少なくとも整合回路またはフィルタを含む、第１のインピーダンス調整部と、
前記第２の無線部に接続され、前記第２のアンテナ素子とのインピーダンス特性を調整する、少なくとも整合回路またはフィルタを含む、第２のインピーダンス調整部と、を備え、
前記第１のアンテナ素子と前記第１のインピーダンス調整部とによるインピーダンス特性は、少なくとも前記第１の周波数帯における特性が前記第２の周波数帯における特性より優れた第１の周波数特性を有し、
前記第２のアンテナ素子と前記第２のインピーダンス調整部とによるインピーダンス特性は、少なくとも前記第２の周波数帯における特性が前記第１の周波数帯における特性より優れた第２の周波数特性を有する、
携帯端末装置。
【請求項４】
請求項３記載の携帯端末装置であって、
前記インピーダンス調整部のうちのいずれか１つを前記第１の無線部に接続し、前記第１の無線部に接続していない前記インピーダンス調整部のうちのいずれか１つを前記第２の無線部に接続する切替スイッチを備え、
前記インピーダンス調整部は、前記第１の周波数特性または前記第２の周波数特性にそのインピーダンス特性を切替可能であって、前記第１の無線部に接続されているときは前記第１の周波数特性に切り替え、前記第２の無線部に接続されているときは前記第２の周波数特性に切り替える、
携帯端末装置。
【請求項５】
請求項３記載の携帯端末装置であって、
前記アンテナ素子のうちのいずれか１つを前記第１のインピーダンス調整部に接続し、前記第１のインピーダンス調整部に接続していない前記アンテナ素子のうちのいずれか１つを前記第２のインピーダンス調整部に接続する切替スイッチを備え、
前記第１のインピーダンス調整部は、前記切替スイッチにより接続されるアンテナ素子に応じてインピーダンス特性の調整方法を切替可能であって、前記切替スイッチにより接続された第１のアンテナ素子とのインピーダンス特性を前記第１の周波数特性に調整し、
前記第２のインピーダンス調整部は、前記切替スイッチにより接続されるアンテナ素子に応じてインピーダンス特性の調整方法を切替可能であって、前記切替スイッチにより接続された第２のアンテナ素子とのインピーダンス特性を前記第２の周波数特性に調整する、
携帯端末装置。
【請求項６】
請求項３記載の携帯端末装置であって、
前記アンテナ素子のうちのいずれか１つを前記第１のインピーダンス調整部に接続し、前記第１のインピーダンス調整部に接続していない前記アンテナ素子のうちのいずれか１つを前記第２のインピーダンス調整部に接続する切替スイッチを備え、
前記第１のアンテナ素子および前記第２のアンテナ素子は、インピーダンス特性が略同一であり、
前記第１のインピーダンス調整部は、前記切替スイッチにより接続された第１のアンテナ素子とのインピーダンス特性を前記第１の周波数特性に調整し、
前記第２のインピーダンス調整部は、前記切替スイッチにより接続された第２のアンテナ素子とのインピーダンス特性を前記第２の周波数特性に調整する、
携帯端末装置。
【請求項７】
第１の周波数帯の電波を利用して、無線通信を行う第１の無線部と、
前記第１の周波数帯とは帯域の異なる第２の周波数帯の電波を利用して、無線通信を行う第２の無線部と、
前記第１の無線部に接続された第１のアンテナ素子と、
前記第２の無線部に接続された第２のアンテナ素子と、を備え、
前記第１の無線部は、当該第１の無線部の入力インピーダンス特性を用いて、前記第１のアンテナ素子とのインピーダンス特性を調整し、
前記第２の無線部は、当該第２の無線部の入力インピーダンス特性を用いて、前記第２のアンテナ素子とのインピーダンス特性を調整し、
前記第１のアンテナ素子と前記第１の無線部によるインピーダンス特性は、少なくとも前記第１の周波数帯における特性が前記第２の周波数帯における特性より優れた第１の周波数特性を有し、
前記第２のアンテナ素子と前記第２の無線部によるインピーダンス特性は、少なくとも前記第２の周波数帯における特性が前記第１の周波数帯における特性より優れた第２の周波数特性を有する、
携帯端末装置。
【請求項８】
請求項７記載の携帯端末装置であって、
前記アンテナ素子のうちのいずれか１つを前記第１の無線部に接続し、前記第１の無線部に接続していない前記アンテナ素子のうちのいずれか１つを前記第２の無線部に接続する切替スイッチを備え、
前記第１の無線部は、前記切替スイッチにより接続されるアンテナ素子に応じてインピーダンス特性の調整方法を切替可能であって、前記切替スイッチにより接続された第１のアンテナ素子とのインピーダンス特性を前記第１の周波数特性に調整し、
前記第２の無線部は、前記切替スイッチにより接続されるアンテナ素子に応じてインピーダンス特性の調整方法を切替可能であって、前記切替スイッチにより接続された第２のアンテナ素子とのインピーダンス特性を前記第２の周波数特性に調整する、
携帯端末装置。
【発明の詳細な説明】
【技術分野】
【０００１】  本発明は、複数のアンテナを有する携帯端末装置に関し、特に、その複数のアンテナを利用した複数の無線通信機能を同時に実施する携帯端末装置に関する。
【背景技術】
【０００２】  近年の携帯電話等の携帯端末装置には、複数のアンテナを内蔵したものがあり、その複数のアンテナ素子の受信レベルを計測し、受信レベルの高いアンテナ素子を利用して、携帯無線通信を行うものがある。これにより、１つのアンテナ素子の受信特性が悪くなっても、受信特性の良好な別のアンテナ素子による携帯無線通信を行うことができるため、携帯電話利用者は、常に良好な無線通信環境のもとで快適な携帯無線通信を行うことができる。【０００３】  このような携帯端末装置は現在、受信レベルの最も高い１つのアンテナ素子を携帯無線通信に用い、残りのアンテナ素子は携帯無線通信に用いない構成が主である。一方、近年の携帯端末装置は、音声通話やＥメールの送受信などに利用される携帯無線通信以外の無線通信を利用する無線機能、例えばテレビ放送受信機能、ＧＰＳ機能、非接触ＩＣとの無線通信機能、近距離無線（Ｂｌｕｅｔｏｏｔｈなど）を利用した外部装置との近距離無線通信機能など、を備えるようになってきている。このため、上述の残りのアンテナ素子をテレビ放送受信機能、ＧＰＳ機能、非接触ＩＣとの無線通信機能、近距離無線通信機能などの無線通信に用い、複数のアンテナを利用した複数の無線通信機能を同時に実施することができる携帯端末装置が求められている。【０００４】  これまでは、無線通信に利用される周波数帯でのみ無線通信可能な（すなわち、狭帯域な）アンテナ素子をその無線通信機能ごとに別々に設けることにより、様々な無線通信機能を実施してきた。ところが、上述のように複数のアンテナを利用して複数の無線通信機能を同時に実施するためには、複数のアンテナ素子各々は、受信レベルが低い場合に携帯無線通信以外に上記の各種無線通信を行う可能性があることから、複数の無線通信に利用される周波数帯各々で無線通信可能である必要がある（すなわち、広帯域である必要がある）。しかしながら、複数の広帯域なアンテナ素子により同時期に無線通信を行うと、あるアンテナ素子によって受信すべき周波数帯の無線電波を別のアンテナ素子もまた受信してしまうなど、アンテナ結合により各アンテナ素子のアンテナ特性が劣化するという事態が起きてしまう。【０００５】  ところで、特許文献１や特許文献２では、複数のアンテナを内蔵し、その複数のアンテナ素子の受信レベルを計測し、受信レベルの最も高い第１のアンテナ素子を利用して携帯無線通信を行い、一方で、受信レベルが低い第２のアンテナ素子が第１のアンテナ素子のアンテナ特性に与える影響を軽減することができる構成の無線機について記載されている。しかしながら、この構成の第２のアンテナ素子は携帯無線通信を行なっておらず、従って、特許文献１や特許文献２は、本発明が解決しようとするところの、アンテナ結合により各アンテナ素子のアンテナ特性が劣化するという事態を解決するものではない。
【特許文献１】特開２０００−３２４０２９号公報
【特許文献２】特開平７−２２１６８１号公報
【発明の開示】
【発明が解決しようとする課題】
【０００６】  本発明は、上記の事情に鑑みてなされたものであって、複数のアンテナを利用して複数の無線通信機能を同時に実施しても、アンテナ結合により各アンテナ素子のアンテナ特性が劣化することを低減することができる携帯端末装置を提供することを目的とする。
【課題を解決するための手段】
【０００７】  本発明の携帯端末装置は、第１の周波数帯の電波を利用して、無線通信を行う第１の無線部と、前記第１の周波数帯とは帯域の異なる第２の周波数帯の電波を利用して、無線通信を行う第２の無線部と、前記第１の無線部に接続された第１のアンテナ素子と、前記第２の無線部に接続された第２のアンテナ素子と、を備え、前記第１のアンテナ素子のインピーダンス特性が、少なくとも前記第１の周波数帯における特性が前記第２の周波数帯における特性より優れた第１の周波数特性を有し、前記第２のアンテナ素子のインピーダンス特性が、少なくとも前記第２の周波数帯における特性が前記第１の周波数帯における特性より優れた第２の周波数特性を有する、ものである。【０００８】  この構成によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。【０００９】  また、本発明の携帯端末装置は、前記アンテナ素子のうちのいずれか１つを前記第１の無線部に接続し、前記第１の無線部に接続していない前記アンテナ素子のうちのいずれか１つを前記第２の無線部に接続する切替スイッチを備え、前記アンテナ素子が、前記第１の周波数特性または前記第２の周波数特性にその特性を切替可能な構造であって、前記第１の無線部に接続されているときは前記第１の周波数特性に切り替えられ、前記第２の無線部に接続されているときは前記第２の周波数特性に切り替えられる、ものを含む。【００１０】  この構成によれば、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、より快適な無線通信環境のもとで無線通信を行うことができる。【００１１】  本発明の携帯端末装置は、第１の周波数帯の電波を利用して、無線通信を行う第１の無線部と、前記第１の周波数帯とは帯域の異なる第２の周波数帯の電波を利用して、無線通信を行う第２の無線部と、第１のアンテナ素子と、第２のアンテナ素子と、前記第１の無線部に接続され、前記第１のアンテナ素子とのインピーダンス特性を調整する、少なくとも整合回路またはフィルタを含む、第１のインピーダンス調整部と、前記第２の無線部に接続され、前記第２のアンテナ素子とのインピーダンス特性を調整する、少なくとも整合回路またはフィルタを含む、第２のインピーダンス調整部と、を備え、前記第１のアンテナ素子と前記第１のインピーダンス調整部とによるインピーダンス特性が、少なくとも前記第１の周波数帯における特性が前記第２の周波数帯における特性より優れた第１の周波数特性を有し、前記第２のアンテナ素子と前記第２のインピーダンス調整部とによるインピーダンス特性が、少なくとも前記第２の周波数帯における特性が前記第１の周波数帯における特性より優れた第２の周波数特性を有する、ものである。【００１２】  この構成によれば、例えば整合回路が整合調整を行なってアンテナ素子の特定の帯域のインピーダンス特性を劣化させるため、本発明の携帯端末装置に利用するアンテナ素子を設計する際には、アンテナ素子による無線通信可能な帯域幅が複数の無線通信に利用される周波数帯各々をその中に含むことのみを考慮してアンテナ素子を設計すればよく、アンテナ素子の設計を簡便なものにすることができる。【００１３】  また、本発明の携帯端末装置は、前記インピーダンス調整部のうちのいずれか１つを前記第１の無線部に接続し、前記第１の無線部に接続していない前記インピーダンス調整部のうちのいずれか１つを前記第２の無線部に接続する切替スイッチを備え、前記インピーダンス調整部が、前記第１の周波数特性または前記第２の周波数特性にそのインピーダンス特性を切替可能であって、前記第１の無線部に接続されているときは前記第１の周波数特性に切り替え、前記第２の無線部に接続されているときは前記第２の周波数特性に切り替える、ものを含む。【００１４】  この構成によれば、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、より快適な無線通信環境のもとで無線通信を行うことができる。【００１５】  また、本発明の携帯端末装置は、前記アンテナ素子のうちのいずれか１つを前記第１のインピーダンス調整部に接続し、前記第１のインピーダンス調整部に接続していない前記アンテナ素子のうちのいずれか１つを前記第２のインピーダンス調整部に接続する切替スイッチを備え、前記第１のインピーダンス調整部は、前記切替スイッチにより接続されるアンテナ素子に応じてインピーダンス特性の調整方法を切替可能であって、前記切替スイッチにより接続された第１のアンテナ素子とのインピーダンス特性を前記第１の周波数特性に調整し、前記第２のインピーダンス調整部は、前記切替スイッチにより接続されるアンテナ素子に応じてインピーダンス特性の調整方法を切替可能であって、前記切替スイッチにより接続された第２のアンテナ素子とのインピーダンス特性を前記第２の周波数特性に調整する、ものを含む。【００１６】  この構成によれば、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、より快適な無線通信環境のもとで無線通信を行うことができる。【００１７】  また、本発明の携帯端末装置は、前記アンテナ素子のうちのいずれか１つを前記第１のインピーダンス調整部に接続し、前記第１のインピーダンス調整部に接続していない前記アンテナ素子のうちのいずれか１つを前記第２のインピーダンス調整部に接続する切替スイッチを備え、前記第１のアンテナ素子および前記第２のアンテナ素子は、インピーダンス特性が略同一であり、前記第１のインピーダンス調整部が、前記切替スイッチにより接続された第１のアンテナ素子とのインピーダンス特性を前記第１の周波数特性に調整し、前記第２のインピーダンス調整部が、前記切替スイッチにより接続された第２のアンテナ素子とのインピーダンス特性を前記第２の周波数特性に調整す��、ものを含む。【００１８】  この構成によれば、インピーダンス調整部が、接続される各アンテナ素子毎にインピーダンス特性の調整方法を切り替える必要がないため、インピーダンス調整部の構成を簡略化できる。【００１９】  本発明の携帯端末装置は、第１の周波数帯の電波を利用して、無線通信を行う第１の無線部と、前記第１の周波数帯とは帯域の異なる第２の周波数帯の電波を利用して、無線通信を行う第２の無線部と、前記第１の無線部に接続された第１のアンテナ素子と、前記第２の無線部に接続された第２のアンテナ素子と、を備え、前記第１の無線部が、当該第１の無線部の入力インピーダンス特性を用いて、前記第１のアンテナ素子とのインピーダンス特性を調整し、前記第２の無線部が、当該第２の無線部の入力インピーダンス特性を用いて、前記第２のアンテナ素子とのインピーダンス特性を調整し、前記第１のアンテナ素子と前記第１の無線部によるインピーダンス特性は、少なくとも前記第１の周波数帯における特性が前記第２の周波数帯における特性より優れた第１の周波数特性を有し、前記第２のアンテナ素子と前記第２の無線部によるインピーダンス特性は、少なくとも前記第２の周波数帯における特性が前記第１の周波数帯における特性より優れた第２の周波数特性を有する、ものである。【００２０】  この構成によれば、無線部が整合調整を行なってアンテナ素子の特定の帯域のインピーダンス特性を劣化させるため、本発明の携帯端末装置に利用するアンテナ素子を設計する際には、アンテナ素子による無線通信可能な帯域幅が複数の無線通信に利用される周波数帯各々をその中に含むことのみを考慮してアンテナ素子を設計すればよく、アンテナ素子の設計を簡便なものにすることができる。【００２１】  また、本発明の携帯端末装置は、前記アンテナ素子のうちのいずれか１つを前記第１の無線部に接続し、前記第１の無線部に接続していない前記アンテナ素子のうちのいずれか１つを前記第２の無線部に接続する切替スイッチを備え、前記第１の無線部が、前記切替スイッチにより接続されるアンテナ素子に応じてインピーダンス特性の調整方法を切替可能であって、前記切替スイッチにより接続された第１のアンテナ素子とのインピーダンス特性を前記第１の周波数特性に調整し、前記第２の無線部が、前記切替スイッチにより接続されるアンテナ素子に応じてインピーダンス特性の調整方法を切替可能であって、前記切替スイッチにより接続された第２のアンテナ素子とのインピーダンス特性を前記第２の周波数特性に調整する、ものを含む。【００２２】  この構成によれば、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、より快適な無線通信環境のもとで無線通信を行うことができる。
【発明の効果】
【００２３】  本発明の携帯端末装置は、複数のアンテナを利用して複数の無線通信機能を同時に実施しても、アンテナ結合により各アンテナ素子のアンテナ特性が劣化することを低減することができる。
【図面の簡単な説明】
【００２４】
【図１】（ａ）本発明の第１実施形態の携帯端末装置の構成図（図面右側）、（ｂ）、（ｃ）本発明の第１実施形態の携帯端末装置におけるアンテナ素子のＶＳＷＲ（Ｖｏｌｔａｇｅ  Ｓｔａｎｄｉｎｇ  ｗａｖｅ  Ｒａｔｉｏ）特性
【図２】（ａ）本発明の第２実施形態の携帯端末装置の構成図（図面右側）、（ｂ）、（ｃ）本発明の第２実施形態の携帯端末装置におけるアンテナ素子のＶＳＷＲ（Ｖｏｌｔａｇｅ  Ｓｔａｎｄｉｎｇ  ｗａｖｅ  Ｒａｔｉｏ）特性
【図３】（ａ）本発明の第３実施形態の携帯端末装置の構成図（図面右側）、（ｂ）、（ｃ）本発明の第３実施形態の携帯端末装置における整合後のＶＳＷＲ（Ｖｏｌｔａｇｅ  Ｓｔａｎｄｉｎｇ  ｗａｖｅ  Ｒａｔｉｏ）特性
【図４】（ａ）本発明の第４実施形態の携帯端末装置の構成図（図面右側）、（ｂ）、（ｃ）本発明の第４実施形態の携帯端末装置における整合後のＶＳＷＲ（Ｖｏｌｔａｇｅ  Ｓｔａｎｄｉｎｇ  ｗａｖｅ  Ｒａｔｉｏ）特性
【図５】本発明の第４実施形態の携帯端末装置における整合回路の構成図
【図６】（ａ）本発明の第５実施形態の携帯端末装置の構成図（図面右側）、（ｂ）、（ｃ）本発明の第５実施形態の携帯端末装置における整合後のＶＳＷＲ（Ｖｏｌｔａｇｅ  Ｓｔａｎｄｉｎｇ  ｗａｖｅ  Ｒａｔｉｏ）特性
【図７】本発明の第５実施形態の携帯端末装置における整合回路の構成図
【図８】（ａ）本発明の第６実施形態の携帯端末装置の構成図（図面右側）、（ｂ）、（ｃ）本発明の第６実施形態の携帯端末装置における整合後のＶＳＷＲ（Ｖｏｌｔａｇｅ  Ｓｔａｎｄｉｎｇ  ｗａｖｅ  Ｒａｔｉｏ）特性
【図９】（ａ）本発明の第７実施形態の携帯端末装置の構成図（図面右側）、（ｂ）、（ｃ）本発明の第７実施形態の携帯端末装置における整合後のＶＳＷＲ（Ｖｏｌｔａｇｅ  Ｓｔａｎｄｉｎｇ  ｗａｖｅ  Ｒａｔｉｏ）特性
【符号の説明】
【００２５】１  携帯端末装置
１１、３１  第１のアンテナ素子
１２、１４、３４  第１の無線部
１３、３３  第１の整合回路
２１、４１  第２のアンテナ素子
２２、２４、４４  第２の無線部
２３、４３  第２の整合回路
５１、５２、５３、５４  スイッチ
６１、６２、６３、６４  制御回路
３３１  第１のアンテナ用整合部
３３２、４３２  インピーダンス素子
３３３、４３３  スイッチ
４３１  第２のアンテナ用整合部
【発明を実施するための最良の形態】
【００２６】  以下、本発明の実施の形態の携帯端末装置について、第１実施形態から第７実施形態の具体例をもって詳細に説明する。【００２７】  （第１実施形態）
本発明の第１実施形態の携帯端末装置について、図１（ａ）に示す本発明の第１実施形態の携帯端末装置の構成図（図面右側）と、図１（ｂ）、図１（ｃ）に示すＶＳＷＲ（Ｖｏｌｔａｇｅ  Ｓｔａｎｄｉｎｇ  ｗａｖｅ  Ｒａｔｉｏ）特性と、を参照して説明する。【００２８】  本発明の第１実施形態の携帯端末装置１は、図１（ａ）に示すように、第１のアンテナ素子１１、第２のアンテナ素子２１、第１の無線部１２、および第２の無線部２２、を有する構成である。【００２９】  第１の無線部１２および第２の無線部２２は、音声通話やＥメール等の携帯無線通信を行なう無線通信機能や、ＧＰＳシステムに利用される無線通信機能や、テレビ機能や、近距離無線システム等の無線システムに利用される無線通信機能を実施する。第１の無線部１２と第２の無線部２２は、それぞれ異なる無線通信機能を実施することを想定しており、従って、各々に接続されたアンテナ素子２１、２２を利用して、それぞれ異なる周波数帯域の電波による無線通信を行なう。なお、図１では、第１の無線部１２が無線通信に利用する電波の周波数をｆ１、第２の無線部２２が無線通信に利用する電波の周波数をｆ２、として表記している。【００３０】  第１のアンテナ素子１１および第２のアンテナ素子２１は、近年の携帯端末装置が備えるモノポールアンテナや、２つの筐体から構成される近年の携帯端末装置であればヒンジ部、あるいはヒンジ部付近に配置されたアンテナなどである。なお、第１のアンテナ素子１１および第２のアンテナ素子２１は、これらのアンテナに限定されるものではなく、携帯端末装置に搭載される各種アンテナがその適用範囲に含まれる。また、第１のアンテナ素子１１は、図１（ｂ）に示すＶＳＷＲ特性を有する。すなわち、第１のアンテナ素子１１は、第１の無線部１２が無線電波の対象とする周波数ｆ１においてＶＳＷＲ値が低く、第２の無線部２２が無線電波の対象とする周波数ｆ２においてＶＳＷＲ値が高くなるよう、第２の無線部２２の使用周波数帯域におけるインピーダンス特性を劣化させている。なお、周波数ｆ１におけるＶＳＷＲ値は３以下であれば実用上問題がなく、一方、周波数ｆ２におけるＶＳＷＲ値は６以上であることが好ましい。
また、第２のアンテナ素子１２は、図１（ｃ）に示すＶＳＷＲ特性を有する。すなわち、第１のアンテナ素子１２は、逆に、第１の無線部１２が無線電波の対象とする周波数ｆ１においてＶＳＷＲ値が高く、第２の無線部２２が無線電波の対象とする周波数ｆ２においてＶＳＷＲ値が低くなるよう、第１の無線部１２の使用周波数帯域におけるインピーダンス特性を劣化させている。なお、周波数ｆ１におけるＶＳＷＲ値は６以上であることが好ましく、一方、周波数ｆ２におけるＶＳＷＲ値は３以下であれば実用上問題がない。【００３１】  本発明の第１実施形態の携帯端末装置によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。【００３２】  なお、第１実施形態では、２つの無線部にそれぞれアンテナ素子が接続された携帯端末装置について説明したが、３つ以上の無線部にそれぞれアンテナ素子が接続された場合も同様である。すなわち、アンテナ素子は、当該アンテナ素子を接続した無線部が無線電波の対象とする周波数においてＶＳＷＲ値が高く、当該アンテナ素子を接続していない他の無線部が無線電波の対象とする周波数それぞれにおいてＶＳＷＲ値が低くなるよう、他の無線部の使用周波数帯域におけるインピーダンス特性を劣化させれば良い。【００３３】  （第２実施形態）
本発明の第２実施形態の携帯端末装置について、図２（ａ）に示す本発明の第２実施形態の携帯端末装置の構成図（図面右側）と、図２（ｂ）、図２（ｃ）に示すＶＳＷＲ（Ｖｏｌｔａｇｅ  Ｓｔａｎｄｉｎｇ  ｗａｖｅ  Ｒａｔｉｏ）特性と、を参照して説明する。【００３４】  本発明の第２実施形態の携帯端末装置１は、図２（ａ）に示すように、第１のアンテナ素子３１、第２のアンテナ素子４１、第１の無線部１２、第２の無線部２２、スイッチ５１、および制御回路６１を有する構成である。第１実施形態での説明に用いた参照符号と同一のものは、第１実施形態と共通であるため、説明を省略する。【００３５】  第１のアンテナ素子３１および第２のアンテナ素子４１は、例えば、逆Ｆ型アンテナ（線状、板状であっても構わない）によって構成され、短絡部の短絡・開放に応じて逆Ｆ型アンテナ・Ｌ型アンテナ（またはモノポールアンテナ）に構造が変形し、これによってアンテナ特性が下記に説明するように切り替わるものである。すなわち、第１のアンテナ素子３１および第２のアンテナ素子４１は、構造の変形によって、図２（ｂ）に示すＶＳＷＲ特性あるいは図２（ｃ）に示すＶＳＷＲ特性にアンテナ特性が切り替わる。具体的には、第１のアンテナ素子３１の１つの構造では、図２（ｂ）に示すように、第１の無線部１２が無線電波の対象とする周波数ｆ１においてＶＳＷＲ値が低く、第２の無線部２２が無線電波の対象とする周波数ｆ２においてＶＳＷＲ値が高くなるよう、第２の無線部２２の使用周波数帯域のインピーダンス特性を劣化させており、また、第１のアンテナ素子の別の構造では、図２（ｃ）に示すように、第１の無線部１２が無線電波の対象とする周波数ｆ１においてＶＳＷＲ値が高く、第２の無線部２２が無線電波の対象とする周波数ｆ２においてＶＳＷＲ値が低くなるよう、第１の無線部１２の使用周波数帯域のインピーダンス特性を劣化させているいる。第２のアンテナ素子４１も、第１のアンテナ素子３１と同様、アンテナ特性が切り替わる。【００３６】  スイッチ５１は、図２（ａ）に示すように、第１のアンテナ素子３１と第１の無線部１２、第２のアンテナ素子４１と第２の無線部２２をそれぞれ対にして接続するか、あるいは、第１のアンテナ素子３１と第２の無線部２２、第２のアンテナ素子４１と第１の無線部１２をそれぞれ対にして接続するか、を切り替える構成である。スイッチ５１は、例えば、２回路２接点スイッチ（ＤＰＤＴ：Ｄｏｕｂｌｅ−Ｐｏｌｅ，Ｄｏｕｂｌｅ−Ｔｈｒｏｗ）によって構成される。【００３７】  制御回路６１は、スイッチ５１の切り替えに応じて、第１のアンテナ素子３１および第２のアンテナ素子４１の構造を切り替える。例えば、第１のアンテナ素子３１および第２のアンテナ素子４１が逆Ｆ型アンテナによって構成されていれば、制御回路６１は、短絡部の短絡・開放をスイッチングする。制御回路６１は、スイッチ５１が第１のアンテナ素子３１と第１の無線部１２、第２のアンテナ素子４１と第２の無線部２２を対にして接続している場合、第１のアンテナ素子３１の短絡部を短絡し、一方、第２のアンテナ素子４１の短絡部を開放する。制御回路６１は、逆に、スイッチ５１が第１のアンテナ素子３１と第２の無線���２２、第２のアンテナ素子４１と第１の無線部１２を対にして接続している場合、第１のアンテナ素子３１の短絡部を開放し、一方、第２のアンテナ素子４１の短絡部を短絡する。【００３８】  本発明の第２実施形態の携帯端末装置によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。また、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、上述の効果を保ちつつ、より快適な無線通信環境のもとで無線通信を行うことができる。【００３９】  なお、第２実施形態では、２つの無線部にそれぞれアンテナ素子が接続された携帯端末装置について説明したが、３つ以上の無線部にそれぞれアンテナ素子が接続された場合は以下のようになる。すなわち、アンテナ素子は、少なくとも３つ以上の構造に変形し、１つの構造毎に異なる無線部を対応付け、その対応付けたある無線部が無線電波の対象とする周波数においてＶＳＷＲ値が高く、残りの無線部が無線電波の対象とする周波数それぞれにおいてＶＳＷＲ値が低くなるよう、残りの無線部の使用周波数帯域におけるインピーダンス特性を劣化させれば良い。また、スイッチおよび制御回路は、その対応関係に準じた無線部をアンテナ素子に接続し、その対応関係に準じたアンテナ素子の構造に切り替える。【００４０】  （第３実施形態）
本発明の第３実施形態の携帯端末装置について、図３（ａ）に示す本発明の第３実施形態の携帯端末装置の構成図（図面右側）と、図３（ｂ）、図３（ｃ）に示すＶＳＷＲ（Ｖｏｌｔａｇｅ  Ｓｔａｎｄｉｎｇ  ｗａｖｅ  Ｒａｔｉｏ）特性と、を参照して説明する。【００４１】  本発明の第３実施形態の携帯端末装置１は、図３（ａ）に示すように、第１のアンテナ素子１１、第２のアンテナ素子２１、第１の無線部１２、第２の無線部２２、第１の整合回路１３、および第２の整合回路２３を有する構成である。第１実施形態での説明に用いた参照符号と同一のものは、第１実施形態と共通であるため、説明を省略する。【００４２】  本発明の第１、２実施形態の携帯端末装置では、インピーダンス特性を一部劣化させた第１のアンテナ素子１１および第２のアンテナ素子２１（インピーダンス特性が一部劣化するように設計された構造のアンテナ素子）を備える構成としたが、本発明の第３実施形態の携帯端末装置では、第１のアンテナ素子１１および第２のアンテナ素子２１のインピーダンス特性を一部劣化させるために整合回路を用いる構成とする。【００４３】  第１の整合回路１３は、第１のアンテナ素子１１と第１の無線部１２に接続され、第１のアンテナ素子１１のインピーダンス特性の整合調整を行なって、第１のアンテナ素子１１と第１の整合回路１３から成る第１のアンテナ部のＶＳＷＲ特性を図３（ｂ）に示すＶＳＷＲ特性になるようにする。すなわち、第１のアンテナ部は、第１の無線部１２が無線電波の対象とする周波数ｆ１においてＶＳＷＲ値が低く、第２の無線部２２が無線電波の対象とする周波数ｆ２においてＶＳＷＲ値が高くなるよう、第２の無線部２２の使用周波数帯域におけるインピーダンス特性を劣化させている。第２の整合回路は、第２のアンテナ素子２１と第２の無線部２２に接続され、第２のアンテナ素子２１のインピーダンス特性の整合調整を行なって、第２のアンテナ素子２１と第２の整合回路２３から成る第２のアンテナ部のＶＳＷＲ特性を図３（ｃ）に示すＶＳＷＲ特性になるようにする。すなわち、第２のアンテナ部は、第２の無線部２２が無線電波の対象とする周波数ｆ２においてＶＳＷＲ値が低く、第１の無線部１２が無線電波の対象とする周波数ｆ１においてＶＳＷＲ値が高くなるよう、第１の無線部１２の使用周波数帯域におけるインピーダンス特性を劣化させている。【００４４】  本発明の第３実施形態の携帯端末装置によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。また、整合回路が整合調整を行なってアンテナ素子の特定の帯域のインピーダンス特性を劣化させるため、本発明の携帯端末装置に利用するアンテナ素子を設計する際には、アンテナ素子による無線通信可能な帯域幅が複数の無線通信に利用される周波数帯各々をその中に含むことのみを考慮してアンテナ素子を設計すればよく、アンテナ素子の設計を簡便なものにすることができる。【００４５】  なお、第１のアンテナ素子と第１の整合回路あるいは第２のアンテナ素子と第２の整合回路との��、第１の整合回路と第１の無線部あるいは第２の整合回路と第２の無線部との間にフィルタを追加する構成として、それぞれ所定の周波数帯域におけるインピーダンス特性を劣化（所定の周波数帯域をカット）させるようにしても、同様の効果を得ることができる。【００４６】  （第４実施形態）
本発明の第４実施形態の携帯端末装置について、図４（ａ）に示す本発明の第４実施形態の携帯端末装置の構成図（図面右側）と、図４（ｂ）、図４（ｃ）に示すＶＳＷＲ（Ｖｏｌｔａｇｅ  Ｓｔａｎｄｉｎｇ  ｗａｖｅ  Ｒａｔｉｏ）特性と、を参照して説明する。【００４７】  本発明の第４実施形態の携帯端末装置１は、図４（ａ）に示すように、第１のアンテナ素子１１、第２のアンテナ素子２１、第１の無線部１２、第２の無線部２２、第１の整合回路３３、第２の整合回路４３、スイッチ５２、および制御回路６２を有する構成である。第１実施形態での説明に用いた参照符号と同一のものは、第１実施形態と共通であるため、説明を省略する。【００４８】  本発明の第１、２実施形態の携帯端末装置では、インピーダンス特性を一部劣化させた第１のアンテナ素子１１および第２のアンテナ素子２１（インピーダンス特性が一部劣化するように設計された構造のアンテナ素子）を備える構成としたが、本発明の第４実施形態の携帯端末装置では、第１のアンテナ素子１１および第２のアンテナ素子２１のインピーダンス特性を一部劣化させるために整合回路を用いる構成とする。【００４９】  第１の整合回路３３は、図５のように構成される。制御回路６２からの指示に応じてスイッチ３３３を開状態にすることによって、第１のアンテナ用整合部３３１が、第１のアンテナ素子１１のインピーダンス特性の整合調整を行なって、第１のアンテナ素子１１とのＶＳＷＲ特性を図４（ｂ）に示すＶＳＷＲ特性にする。また、第１の整合回路３３は、制御回路６２からの指示に応じてスイッチ３３３を閉状態にすることによって、第１のアンテナ用整合部３３１と一端が接地されたインピーダンス素子（Ｘ１）３３２が、第１のアンテナ素子１１のインピーダンス特性の整合調整を行なって、第１のアンテナ素子１１とのＶＳＷＲ特性を図４（ｃ）に示すＶＳＷＲ特性にする。インピーダンス素子３３２は予め、第１のアンテナ素子１１と第１のアンテナ用整合部３３１とのＶＳＷＲ特性が図４（ｃ）に示すＶＳＷＲ特性になるものが接続されているものとする。【００５０】  第２の整合回路４３もまた、図５のように構成される。制御回路６２からの指示に応じてスイッチ４３３を開状態にすることによって、第２のアンテナ用整合部４３１が、第２のアンテナ素子２１のインピーダンス特性の整合調整を行なって、第２のアンテナ素子２１とのＶＳＷＲ特性を図４（ｃ）に示すＶＳＷＲ特性にする。また、第２の整合回路４３は、制御回路６２からの指示に応じてスイッチ４３３を閉状態にすることによって、第２のアンテナ用整合部４３１と一端が接地されたインピーダンス素子（Ｘ２）４３２が、第２のアンテナ素子２１のインピーダンス特性の整合調整を行なって、第２のアンテナ素子２１とのＶＳＷＲ特性を図４（ｂ）に示すＶＳＷＲ特性にする。インピーダンス素子４３２は予め、第２のアンテナ素子２１と第２のアンテナ用整合部４３１とのＶＳＷＲ特性が図４（ｂ）に示すＶＳＷＲ特性になるものが接続されているものとする。【００５１】  スイッチ５２は、図４（ａ）に示すように、第１の整合回路３３と第１の無線部１２、第２の整合回路４３と第２の無線部２２をそれぞれ対にして接続するか��あるいは、第１の整合回路３３と第２の無線部２２、第２の整合回路４３と第１の無線部１２をそれぞれ対にして接続するか、を切り替える構成である。スイッチ５２は、例えば、２回路２接点スイッチ（ＤＰＤＴ：Ｄｏｕｂｌｅ−Ｐｏｌｅ，Ｄｏｕｂｌｅ−Ｔｈｒｏｗ）によって構成される。【００５２】  制御回路６２は、スイッチ５２の切り替えに応じて、整合回路内のスイッチ３３３、４３３の開閉を切り替える。制御回路６２は、スイッチ５２が第１の整合回路３３と第１の無線部１２、第２の整合回路４３と第２の無線部２２を対にして接続している場合、第１の整合回路３３のスイッチ３３３を開状態にし、一方、第２の整合回路４３のスイッチ４３３を開状態にする。制御回路６２は、逆に、スイッチ５２が第１の整合回路３３と第２の無線部２２、第２の整合回路４３と第１の無線部１２を対にして接続している場合、第１の整合回路３３のスイッチ３３３を閉状態にし、一方、第２の整合回路４３のスイッチ４３３を閉状態にする。【００５３】  本発明の第４実施形態の携帯端末装置によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。また、整合回路が整合調整を行なってアンテナ素子の特定の帯域のインピーダンス特性を劣化させるため、本発明の携帯端末装置に利用するアンテナ素子を設計する際には、アンテナ素子による無線通信可能な帯域幅が複数の無線通信に利用される周波数帯各々をその中に含むことのみを考慮してアンテナ素子を設計すればよく、アンテナ素子の設計を簡便なものにすることができる。また、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、上述の効果を保ちつつ、より快適な無線通信環境のもとで無線通信を行うことができる。【００５４】  なお、第１のアンテナ素子１１と第１の整合回路３３あるいは第２のアンテナ素子１２と第２の整合回路４３との間、第１の整合回路３３とスイッチ５２あるいは第２の整合回路４３とスイッチ５２との間、スイッチ５２と第１の無線部１２あるいはスイッチ５２と第２の無線部２２との間に、フィルタを追加する構成として、それぞれ所定の周波数帯域におけるインピーダンス特性を劣化（所定の周波数帯域をカット）させるようにしても、同様の効果を得ることができる。【００５５】  （第５実施形態）
本発明の第５実施形態の携帯端末装置について、図６（ａ）に示す本発明の第５実施形態の携帯端末装置の構成図（図面右側）と、図６（ｂ）、図６（ｃ）に示すＶＳＷＲ（Ｖｏｌｔａｇｅ  Ｓｔａｎｄｉｎｇ  ｗａｖｅ  Ｒａｔｉｏ）特性と、を参照して説明する。【００５６】  本発明の第５実施形態の携帯端末装置１は、図６（ａ）に示すように、第１のアンテナ素子１１、第２のアンテナ素子２１、第１の無線部１２、第２の無線部２２、第１の整合回路３３、第２の整合回路４３、スイッチ５３、および制御回路６３を有する構成である。第４実施形態での説明に用いた参照符号と同一のものは、第４実施形態と共通であるため、説明を省略する。【００５７】  本発明の第４実施形態の携帯端末装置では、整合回路３３、４３と無線部１２、２２との間にスイッチ５２を配設し、その間の接続を切り替えるようにしたが、本発明の第５実施形態の携帯端末装置では、アンテナ素子１１、２１と整合回路３３、４３との間にスイッチ５３を配設し、その間の接続を切り替えるようにする。このため、第１の整合回路３３（あるいは第２の整合回路４３）は、第４実施形態では、接続される無線部１２、２２に応じて第１のアンテナ素子１１（あるいは第２のアンテナ素子２１）とのＶＳＷＲ特性を図４（ｂ）、図４（ｃ）のどちらかに切り替える構成であったが、第５実施形態では、接続されるアンテナ素子１１、２１とのＶＳＷＲ特性を図６（ｂ）のＶＳＷＲ特性（あるいは図６（ｃ）のＶＳＷＲ特性）に統一するよう、アンテナ素子１１、２１のインピーダンス特性の整合調整を行なう。【００５８】  第１の整合回路３３は、図７のように構成される。制御回路６３からの指示に応じてスイッチ３３３を開状態にすることによって、第１のアンテナ用整合部３３１が、第１のアンテナ素子１１のインピーダンス特性の整合調整を行なって、第１のアンテナ素子１１とのＶＳＷＲ特性を図６（ｂ）に示すＶＳＷＲ特性にする。また、第１の整合回路３３は、制御回路６３からの指示に応じてスイッチ３３３を閉状態にすることによって、第１のアンテナ用整合部３３１と一端が接地されたインピーダンス素子（Ｘ１）３３２が、第２のアンテナ素子２１のインピーダンス特性の整合調整を行なって（このときスイッチ５３により、第２のアンテナ素子２１と第１の整合回路３３が接続されている）、第２のアンテナ素子２１とのＶＳＷＲ特性を図６（ｂ）に示すＶＳＷＲ特性にする。インピーダンス素子３３２は予め、第２のアンテナ素子２１と第１のアンテナ用整合部３３１とのＶＳＷＲ特性が図６（ｂ）に示すＶＳＷＲ特性になるものが接続されているものとする。【００５９】  第２の整合回路４３もまた、図７のように構成される。制御回路６３からの指示に応じてスイッチ４３３を開状態にすることによって、第２のアンテナ用整合部４３１が、第２のアンテナ素子２１のインピーダンス特性の整合調整を行なって、第２のアンテナ素子２１とのＶＳＷＲ特性を図７（ｃ）に示すＶＳＷＲ特性にする。また、第２の整合回路４３は、制御回路６３からの指示に応じてスイッチ４３３を閉状態にすることによって、第２のアンテナ用整合部４３１と一端が接地されたインピーダンス素子（Ｘ２）４３２が、第１のア���テナ素子１１のインピーダンス特性の整合調整を行なって（このときスイッチ５３により、第１のアンテナ素子１１と第２の整合回路４３が接続されている）、第１のアンテナ素子２１とのＶＳＷＲ特性を図６（ｃ）に示すＶＳＷＲ特性にする。インピーダンス素子４３２は予め、第１のアンテナ素子１１と第２のアンテナ用整合部４３１とのＶＳＷＲ特性が図６（ｃ）に示すＶＳＷＲ特性になるものが接続されているものとする。【００６０】  スイッチ５３は、図６（ａ）に示すように、第１のアンテナ素子１１と第１の整合回路３３、第２のアンテナ素子２１と第２の整合回路４３をそれぞれ対にして接続するか、あるいは、第１のアンテナ素子１１と第２の整合回路４３、第２のアンテナ素子２１と第１の整合回路３３をそれぞれ対にして接続するか、を切り替える構成である。スイッチ５３は、例えば、２回路２接点スイッチ（ＤＰＤＴ：Ｄｏｕｂｌｅ−Ｐｏｌｅ，Ｄｏｕｂｌｅ−Ｔｈｒｏｗ）によって構成される。【００６１】  制御回路６３は、スイッチ５３の切り替えに応じて、整合回路内のスイッチ３３３、４３３の開閉を切り替える。制御回路６３は、スイッチ５３が第１のアンテナ素子１１と第１の整合回路３３、第２のアンテナ素子２１と第２の整合回路４３をそれぞれ対にして接続している場合、第１の整合回路３３のスイッチ３３３を開状態にし、一方、第２の整合回路４３のスイッチ４３３を開状態にする。制御回路６２は、逆に、スイッチ５２が第１のアンテナ素子１１と第２の整合回路４３、第２のアンテナ素子２１と第１の整合回路３３をそれぞれ対にして接続している場合、第１の整合回路３３のスイッチ３３３を閉状態にし、一方、第２の整合回路４３のスイッチ４３３を閉状態にする。【００６２】  本発明の第５実施形態の携帯端末装置によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。また、整合回路が整合調整を行なってアンテナ素子の特定の帯域のインピーダンス特性を劣化させるため、本発明の携帯端末装置に利用するアンテナ素子を設計する際には、アンテナ素子による無線通信可能な帯域幅が複数の無線通信に利用される周波数帯各々をその中に含むことのみを考慮してアンテナ素子を設計すればよく、アンテナ素子の設計を簡便なものにすることができる。また、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、上述の効果を保ちつつ、より快適な無線通信環境のもとで無線通信を行うことができる。【００６３】  なお、第１のアンテナ素子１１とスイッチ５３あるいは第２のアンテナ素子１２とスイッチ５３との間、スイッチ５３と第１の整合回路３３あるいはスイッチ５３と第２の整合回路４３との間、第１の整合回路３３と第１の無線部１２あるいは第２の整合回路４３と第２の無線部２２との間に、フィルタを追加する構成として、それぞれ所定の周波数帯域におけるインピーダンス特性��劣化（所定の周波数帯域をカット）させるようにしても、同様の効果を得ることができる。【００６４】  また、第５実施形態において、特に、アンテナ素子１１、２１が略同じアンテナ性能を有する場合、整合回路３３、３４は、接続されたアンテナ素子１１、２１に対して同様の整合調整を行なってアンテナ素子１１、２１とのインピーダンス特性を所定の特性にすれば良いため（すなわち、図７にしめすインピーダンス素子３３２、４３２を用いる必要はないため）、制御回路６３から指示に応じてスイッチ３３３、４３３を開閉する必要がなくなる。従って、制御回路６３を設ける必要がなくなるため、本発明の携帯端末装置の小型化が可能となる。【００６５】  （第６実施形態）
本発明の第６実施形態の携帯端末装置について、図８（ａ）に示す本発明の第６実施形態の携帯端末装置の構成図（図面右側）と、図８（ｂ）、図８（ｃ）に示すＶＳＷＲ（Ｖｏｌｔａｇｅ  Ｓｔａｎｄｉｎｇ  ｗａｖｅ  Ｒａｔｉｏ）特性と、を参照して説明する。【００６６】  本発明の第６実施形態の携帯端末装置１は、図８（ａ）に示すように、第１のアンテナ素子１１、第２のアンテナ素子２１、第１の無線部１４、第２の無線部２４、第１の整合回路１３、および第２の整合回路２３を有する構成である。第３実施形態での説明に用いた参照符号と同一のものは、第３実施形態と共通であるため、説明を省略する。【００６７】  本発明の第６実施形態の携帯端末装置では、第１のアンテナ素子１１および第２のアンテナ素子２１のインピーダンス特性を一部劣化させるために、入力インピーダンス特性を調整可能なローノイズアンプ（ＬＮＡ）を搭載した無線部１４、２４を用いる構成とする。【００６８】  第１の無線部１４は、自身の入力インピーダンス特性を調整して、第１のアンテナ素子１１と第１の整合回路１３と第１の無線部１４とから成る第１のアンテナ部のインピーダンス特性を図８（ｂ）に示すＶＳＷＲ特性にする。すなわち、第１のアンテナ部は、第１の無線部１４が無線電波の対象とする周波数ｆ１においてＶＳＷＲ値が低く、第２の無線部２４が無線電波の対象とする周波数ｆ２においてＶＳＷＲ値が高くなるよう、第２の無線部２４の使用周波数帯域におけるインピーダンス特性を劣化させている。第２の無線部２４は、自身の入力インピーダンス特性を調整して、第２のアンテナ素子２１と第２の整合回路２３と第２の無線部２４とから成る第２のアンテナ部のインピーダンス特性を図８（ｃ）に示すＶＳＷＲ特性にする。すなわち、第２のアンテナ部は、第２の無線部２４が無線電波の対象とする周波数ｆ２においてＶＳＷＲ値が低く、第１の無線部１４が無線電波の対象とする周波数ｆ１においてＶＳＷＲ値が高くなるよう、第１の無線部１４の使用周波数帯域におけるインピーダンス特性を劣化させている。【００６９】  本発明の第６実施形態の携帯端末装置によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。また、無線部が整合調整を行なってアンテナ素子の特定の帯域のインピーダンス特性を劣化させるため、本発明の携帯端末装置に利用するアンテナ素子を設計する際には、アンテナ素子による無線通信可能な帯域幅が複数の無線通信に利用される周波数帯各々をその中に含むことのみを考慮してアンテナ素子を設計すればよく、アンテナ素子の設計を簡便なものにすることができる。【００７０】  （第７実施形態）
本発明の第７実施形態の携帯端末装置について、図９（ａ）に示す本発明の第７実施形態の携帯端末装置の構成図（図面右側）と、図９（ｂ）、図９（ｃ）に示すＶＳＷＲ（Ｖｏｌｔａｇｅ  Ｓｔａｎｄｉｎｇ  ｗａｖｅ  Ｒａｔｉｏ）特性と、を参照して説明する。【００７１】  本発明の第７実施形態の携帯端末装置１は、図９（ａ）に示すように、第１のアンテナ素子１１、第２のアンテナ素子２１、第１の無線部３４、第２の無線部４４、第１の整合回路１３、第２の整合回路２３をスイッチ５４、および制御回路６４を有する構成である。第３実施形態での説明に用いた参照符号と同一のものは、第３実施形態と共通であるため、説明を省略する。【００７２】  本発明の第７実施形態の携帯端末装置では、第１のアンテナ素子１１および第２のアンテナ素子２１のインピーダンス特性を一部劣化させるために、入力インピーダンス特性を調整可能なローノイズアンプ（ＬＮＡ）を搭載した無線部３４、４４を用いる構成とする。【００７３】  第１の無線部３４は、制御回路６４からの指示に応じて入力インピーダンス特性を調整することによって、第１のアンテナ素子１１から第１の無線部３４にかけてのインピーダンス特性あるいは第２のアンテナ素子２１から第１の無線部３４にかけてのインピーダンス特性を図９（ｂ）に示すＶＳＷＲ特性に切り替える。また、第２の無線部４４は、制御回路６４からの指示に応じて入力インピーダンス特性を調整することによって、第１のアンテナ素子１１から第２の無線部４４にかけてのインピーダンス特性あるいは第２のアンテナ素子２１から第２の無線部４４にかけてのインピーダンス特性を図９（ｃ）に示すＶＳＷＲ特性に切り替える。【００７４】  スイッチ５４は、図９（ａ）に示すように、第１の整合回路１３と第１の無線部３４、第２の整合回路２３と第２の無線部４４を対にして接続するか、あるいは、第１の整合回路１３と第２の無線部４４、第２の整合回路２３と第１の無線部３４を対にして接続するか、を切り替える構成である。【００７５】  制御回路６４は、スイッチ５４の切り替えに応じて、入力インピーダンス特性を調整する指示を第１の無線部３４および第２の無線部４４に送出する。制御回路６４は、スイッチ５４が第１の整合回路１３と第１の無線部３４、第２の整合回路２３と第２の無線部４４を対にして接続している場合、第１のアンテナ素子１１から第１の無線部３４にかけてのインピーダンス特性を図９（ｂ）に示すＶＳＷＲ特性に調整する指示を第１の無線部３４に送出し、一方、第２のアンテナ素子２１から第２の無線部４４にかけてのインピーダンス特性を図９（ｃ）に示すＶＳＷＲ特性に調整する指示を第２の無線部４４に送出する。制御回路６２は、逆に、スイッチ５４が第１の整合回路１３と第２の無線部４４、第２の整合回路２３と第１の無線部３４を対にして接続している場合、第２のアンテナ素子２１から第１の無線部３４にかけてのインピーダンス特性を図９（ｂ）に示すＶＳＷＲ特性に調整する指示を第１の無線部３４に送出し、一方、第１のアンテナ素子１１から第２の無線部４４にかけてのインピーダンス特性を図９（ｃ）に示すＶＳＷＲ特性に調整する指示を第２の無線部４４に送出する。【００７��】  本発明の第７実施形態の携帯端末装置によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。また、無線部が整合調整を行なってアンテナ素子の特定の帯域のインピーダンス特性を劣化させるため、本発明の携帯端末装置に利用するアンテナ素子を設計する際には、アンテナ素子による無線通信可能な帯域幅が複数の無線通信に利用される周波数帯各々をその中に含むことのみを考慮してアンテナ素子を設計すればよく、アンテナ素子の設計を簡便なものにすることができる。また、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、上述の効果を保ちつつ、より快適な無線通信環境のもとで無線通信を行うことができる。また、制御回路から無線部に電気的に指示を送出する構成であるため（第２、４実施形態のように、スイッチング回路を設ける必要がないため）、集積化が容易である。
【産業上の利用可能性】
【００７７】  本発明の携帯端末装置は、複数のアンテナを利用して複数の無線通信機能を同時に実施しても、アンテナ結合により各アンテナ素子のアンテナ特性が劣化することを低減することができるという効果を奏し、複数のアンテナを利用した複数の無線通信機能を同時に実施することが求められる携帯端末装置の分野において有用である。【００７８】  本発明を詳細にまた特定の実施態様を参照して説明したが、本発明の精神と範囲を逸脱することなく様々な変更や修正を加えることができることは当業者にとって明らかである。
【図１】
2007083390.tif 000003
【図２】
2007083390.tif 000004
【図３】
2007083390.tif 000005
【図４】
2007083390.tif 000006
【図５】
2007083390.tif 000007
【図６】
2007083390.tif 000008
【図７】
2007083390.tif 000009
【図８】
2007083390.tif 000010
【図９】
2007083390.tif 000011
【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
第１の周波数帯の電波を利用して、無線通信を行う第１の無線部と、
前記第１の周波数帯とは帯域の異なる第２の周波数帯の電波を利用して、無線通信を行う第２の無線部と、
前記第１の無線部に接続された第１のアンテナ素子と、
前記第２の無線部に接続された第２のアンテナ素子と、を備え、
前記第１のアンテナ素子のインピーダンス特性は、少なくとも前記第１の周波数帯における特性が前記第２の周波数帯における特性より優れた第１の周波数特性を有し、
前記第２のアンテナ素子のインピーダンス特性は、少なくとも前記第２の周波数帯における特性が前記第１の周波数帯における特性より優れた第２の周波数特性を有する、
携帯端末装置。
【請求項２】
請求項１記載の携帯端末装置であって、
前記アンテナ素子のうちのいずれか１つを前記第１の無線部に接続し、前記第１の無線部に接続していない前記アンテナ素子のうちのいずれか１つを前記第２の無線部に接続する切替スイッチを備え、
前記アンテナ素子は、前記第１の周波数特性または前記第２の周波数特性にその特性を切替可能な構造であって、前記第１の無線部に接続されているときは前記第１の周波数特性に切り替えられ、前記第２の無線部に接続されているときは前記第２の周波数特性に切り替えられる、
携帯端末装置。
【請求項３】
第１の周波数帯の電波を利用して、無線通信を行う第１の無線部と、
前記第１の周波数帯とは帯域の異なる第２の周波数帯の電波を利用して、無線通信を行う第２の無線部と、
第１のアンテナ素子と、
第２のアンテナ素子と、
前記第１の無線部に接続され、前記第１のアンテナ素子とのインピーダンス特性を調整する、少なくとも整合回路またはフィルタを含む、第１のインピーダンス調整部と、
前記第２の無線部に接続され、前記第２のアンテナ素子とのインピーダンス特性を調整する、少なくとも整合回路またはフィルタを含む、第２のインピーダンス調整部と、を備え、
前記第１のアンテナ素子と前記第１のインピーダンス調整部とによるインピーダンス特性は、少なくとも前記第１の周波数帯における特性が前記第２の周波数帯における特性より優れた第１の周波数特性を有し、
前記第２のアンテナ素子と前記第２のインピーダンス調整部とによるインピーダンス特性は、少なくとも前記第２の周波数帯における特性が前記第１の周波数帯における特性より優れた第２の周波数特性を有する、
携帯端末装置。
【請求項４】
請求項３記載の携帯端末装置であって、
前記インピーダンス調整部のうちのいずれか１つを前記第１の無線部に接続し、前記第１の無線部に接続していない前記インピーダンス調整部のうちのいずれか１つを前記第２の無線部に接続する切替スイッチを備え、
前記インピーダンス調整部は、前記第１の周波数特性または前記第２の周波数特性にそのインピーダンス特性を切替可能であって、前記第１の無線部に接続されているときは前記第１の周波数特性に切り替え、前記第２の無線部に接続されているときは前記第２の周波数特性に切り替える、
携帯端末装置。
【請求項５】
請求項３記載の携帯端末装置であって、
前記アンテナ素子のうちのいずれか１つを前記第１のインピーダンス調整部に接続し、前記第１のインピーダンス調整部に接続していない前記アンテナ素子のうちのいずれか１つを前記第２のインピーダンス調整部に接続する切替スイッチを備え、
前記第１のインピーダンス調整部は、前記切替スイッチにより接続されるアンテナ素子に応じてインピーダンス特性の調整方法を切替可能であって、前記切替スイッチにより接続された第１のアンテナ素子とのインピーダンス特性を前記第１の周波数特性に調整し、
前記第２のインピーダンス調整部は、前記切替スイッチにより接続されるアンテナ素子に応じてインピーダンス特性の調整方法を切替可能であって、前記切替スイッチにより接続された第２のアンテナ素子とのインピーダンス特性を前記第２の周波数特性に調整する、
携帯端末装置。
【請求項６】
請求項３記載の携帯端末装置であって、
前記アンテナ素子のうちのいずれか１つを前記第１のインピーダンス調整部に接続し、前記第１のインピーダンス調整部に接続していない前記アンテナ素子のうちのいずれか１つを前記第２のインピーダンス調整部に接続する切替スイッチを備え、
前記第１のアンテナ素子および前記第２のアンテナ素子は、インピーダンス特性が略同一であり、
前記第１のインピーダンス調整部は、前記切替スイッチにより接続された第１のアンテナ素子とのインピーダンス特性を前記第１の周波数特性に調整し、
前記第２のインピーダンス調整部は、前記切替スイッチにより接続された第２のアンテナ素子とのインピーダンス特性を前記第２の周波数特性に調整する、
携帯端末装置。
【請求項７】
第１の周波数帯の電波を利用して、無線通信を行う第１の無線部と、
前記第１の周波数帯とは帯域の異なる第２の周波数帯の電波を利用して、無線通信を行う第２の無線部と、
前記第１の無線部に接続された第１のアンテナ素子と、
前記第２の無線部に接続された第２のアンテナ素子と、を備え、
前記第１の無線部は、当該第１の無線部の入力インピーダンス特性を用いて、前記第１のアンテナ素子とのインピーダンス特性を調整し、
前記第２の無線部は、当該第２の無線部の入力インピーダンス特性を用いて、前記第２のアンテナ素子とのインピーダンス特性を調整し、
前記第１のアンテナ素子と前記第１の無線部によるインピーダンス特性は、少なくとも前記第１の周波数帯における特性が前記第２の周波数帯における特性より優れた第１の周波数特性を有し、
前記第２のアンテナ素子と前記第２の無線部によるインピーダンス特性は、少なくとも前記第２の周波数帯における特性が前記第１の周波数帯における特性より優れた第２の周波数特性を有する、
携帯端末装置。
【請求項８】
請求項７記載の携帯端末装置であって、
前記アンテナ素子のうちのいずれか１つを前記第１の無線部に接続し、前記第１の無線部に接続していない前記アンテナ素子のうちのいずれか１つを前記第２の無線部に接続する切替スイッチを備え、
前記第１の無線部は、前記切替スイッチにより接続されるアンテナ素子に応じてインピーダンス特性の調整方法を切替可能であって、前記切替スイッチにより接続された第１のアンテナ素子とのインピーダンス特性を前記第１の周波数特性に調整し、
前記第２の無線部は、前記切替スイッチにより接続されるアンテナ素子に応じてインピーダンス特性の調整方法を切替可能であって、前記切替スイッチにより接続された第２のアンテナ素子とのインピーダンス特性を前記第２の周波数特性に調整する、
携帯端末装置。
【請求項９】
請求項７記載の携帯端末装置であって、
前記第１の無線部は、当該第１の無線部の入力インピーダンス特性を用いて、前記第２の周波数帯における前記第１のアンテナ素子とのインピーダンス特性を、前記第１の周波数帯におけるインピーダンス特性より劣化させ、
前記第２の無線部は、当該第２の無線部の入力インピーダンス特性を用いて、前記第１の周波数帯における前記第２のアンテナ素子とのインピーダンス特性を、前記第２の周波数帯におけるインピーダンス特性より劣化させることを特徴とした、
携帯端末装置。
【請求項１０】
請求項１記載の携帯端末装置であって、
前記第１のアンテナ素子のインピーダンス特性は、前記第１の周波数帯域におけるＶＳＷＲ値が第１の所定値以下であり、前記第２の周波数帯域におけるＶＳＷＲ値が第２の所定値以上であり、
前記第２のアンテナ素子のインピーダンス特性は、前記第２の周波数帯域におけるＶＳＷＲ値が第１の所定値以下であり、前記第１の周波数帯域におけるＶＳＷＲ値が第２の所定値以上であることを特徴とした、携帯端末装置。
【請求項１１】
請求項３記載の携帯端末装置であって、
前記第１のアンテナ素子と前記第１のインピーダンス調整部とによるインピーダンス特性は、前記第１の周波数帯域におけるＶＳＷＲ値が第１の所定値以下であり、前記第２の周波数帯域におけるＶＳＷＲ値が第２の所定値以上であり、
前記第２のアンテナ素子と前記第２のインピーダンス調整部とによるインピーダンス特性は、前記第２の周波数帯域におけるＶＳＷＲ値が第１の所定値以下であり、前記第１の周波数帯域におけるＶＳＷＲ値が第２の所定値以上であることを特徴とした、
携帯端末装置。
【請求項１２】
請求項７記載の携帯端末装置であって、
前記第１のアンテナ素子と前記第１の無線部とによるインピーダンス特性は、前記第１の周波数帯域におけるＶＳＷＲ値が第１の所定値以下であり、前記第２の周波数帯域におけるＶＳＷＲ値が第２の所定値以上であり、
前記第２のアンテナ素子と前記第２の無線部とによるインピーダンス特性は、前記第２の周波数帯域におけるＶＳＷＲ値が第１の所定値以下であり、前記第１の周波数帯域におけるＶＳＷＲ値が第２の所定値以上であることを特徴とした、
携帯端末装置。
【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
第１の周波数帯の電波を利用して、無線通信を行う第１の無線部と、
前記第１の周波数帯とは帯域の異なる第２の周波数帯の電波を利用して、無線通信を行う第２の無線部と、
前記第１の無線部に接続された第１のアンテナ素子と、
前記第２の無線部に接続された第２のアンテナ素子と、を備え、
前記第１のアンテナ素子のインピーダンス特性は、少なくとも前記第１の周波数帯における特性が前記第２の周波数帯における特性より優れた第１の周波数特性を有し、
前記第２のアンテナ素子のインピーダンス特性は、少なくとも前記第２の周波数帯における特性が前記第１の周波数帯における特性より優れた第２の周波数特性を有する、
携帯端末装置。
【請求項２】
請求項１記載の携帯端末装置であって、
前記アンテナ素子のうちのいずれか１つを前記第１の無線部に接続し、前記第１の無線部に接続していない前記アンテナ素子のうちのいずれか１つを前記第２の無線部に接続する切替スイッチを備え、
前記アンテナ素子は、前記第１の周波数特性または前記第２の周波数特性にその特性を切替可能な構造であって、前記第１の無線部に接続されているときは前記第１の周波数特性に切り替えられ、前記第２の無線部に接続されているときは前記第２の周波数特性に切り替えられる、
携帯端末装置。
【請求項３】
第１の周波数帯の電波を利用して、無線通信を行う第１の無線部と、
前記第１の周波数帯とは帯域の異なる第２の周波数帯の電波を利用して、無線通信を行う第２の無線部と、
第１のアンテナ素子と、
第２のアンテナ素子と、
前記第１の無線部に接続され、前記第１のアンテナ素子とのインピーダンス特性を調整する、少なくとも整合回路またはフィルタを含む、第１のインピーダンス調整部と、
前記第２の無線部に接続され、前記第２のアンテナ素子とのインピーダンス特性を調整する、少なくとも整合回路またはフィルタを含む、第２のインピーダンス調整部と、を備え、
前記第１のアンテナ素子と前記第１のインピーダンス調整部とによるインピーダンス特性は、少なくとも前記第１の周波数帯における特性が前記第２の周波数帯における特性より優れた第１の周波数特性を有し、
前記第２のアンテナ素子と前記第２のインピーダンス調整部とによるインピーダンス特性は、少なくとも前記第２の周波数帯における特性が前記第１の周波数帯における特性より優れた第２の周波数特性を有する、
携帯端末装置。
【請求項４】
請求項３記載の携帯端末装置であって、
前記インピーダンス調整部のうちのいずれか１つを前記第１の無線部に接続し、前記第１の無線部に接続していない前記インピーダンス調整部のうちのいずれか１つを前記第２の無線部に接続する切替スイッチを備え、
前記インピーダンス調整部は、前記第１の周波数特性または前記第２の周波数特性にそのインピーダンス特性を切替可能であって、前記第１の無線部に接続されているときは前記第１の周波数特性に切り替え、前記第２の無線部に接続されているときは前記第２の周波数特性に切り替える、
携帯端末装置。
【請求項５】
請求項３記載の携帯端末装置であって、
前記アンテナ素子のうちのいずれか１つを前記第１のインピーダンス調整部に接続し、前記第１のインピーダンス調整部に接続していない前記アンテナ素子のうちのいずれか１つを前記第２のインピーダンス調整部に接続する切替スイッチを備え、
前記第１のインピーダンス調整部は、前記切替スイッチにより接続されるアンテナ素子に応じてインピーダンス特性の調整方法を切替可能であって、前記切替スイッチにより接続された第１のアンテナ素子とのインピーダンス特性を前記第１の周波数特性に調整し、
前記第２のインピーダンス調整部は、前記切替スイッチにより接続されるアンテナ素子に応じてインピーダンス特性の調整方法を切替可能であって、前記切替スイッチにより接続された第２のアンテナ素子とのインピーダンス特性を前記第２の周波数特性に調整する、
携帯端末装置。
【請求項６】
請求項３記載の携帯端末装置であって、
前記アンテナ素子のうちのいずれか１つを前記第１のインピーダンス調整部に接続し、前記第１のインピーダンス調整部に接続していない前記アンテナ素子のうちのいずれか１つを前記第２のインピーダンス調整部に接続する切替スイッチを備え、
前記第１のアンテナ素子および前記第２のアンテナ素子は、インピーダンス特性が略同一であり、
前記第１のインピーダンス調整部は、前記切替スイッチにより接続された第１のアンテナ素子とのインピーダンス特性を前記第１の周波数特性に調整し、
前記第２のインピーダンス調整部は、前記切替スイッチにより接続された第２のアンテナ素子とのインピーダンス特性を前記第２の周波数特性に調整する、
携帯端末装置。
【請求項７】
第１の周波数帯の電波を利用して、無線通信を行う第１の無線部と、
前記第１の周波数帯とは帯域の異なる第２の周波数帯の電波を利用して、無線通信を行う第２の無線部と、
前記第１の無線部に接続された第１のアンテナ素子と、
前記第２の無線部に接続された第２のアンテナ素子と、を備え、
前記第１の無線部は、当該第１の無線部の入力インピーダンス特性を用いて、前記第１のアンテナ素子とのインピーダンス特性を調整し、
前記第２の無線部は、当該第２の無線部の入力インピーダンス特性を用いて、前記第２のアンテナ素子とのインピーダンス特性を調整し、
前記第１のアンテナ素子と前記第１の無線部によるインピーダンス特性は、少なくとも前記第１の周波数帯における特性が前記第２の周波数帯における特性より優れた第１の周波数特性を有し、
前記第２のアンテナ素子と前記第２の無線部によるインピーダンス特性は、少なくとも前記第２の周波数帯における特性が前記第１の周波数帯における特性より優れた第２の周波数特性を有する、
携帯端末装置。
【請求項８】
請求項７記載の携帯端末装置であって、
前記アンテナ素子のうちのいずれか１つを前記第１の無線部に接続し、前記第１の無線部に接続していない前記アンテナ素子のうちのいずれか１つを前記第２の無線部に接続する切替スイッチを備え、
前記第１の無線部は、前記切替スイッチにより接続されるアンテナ素子に応じてインピーダンス特性の調整方法を切替可能であって、前記切替スイッチにより接続された第１のアンテナ素子とのインピーダンス特性を前記第１の周波数特性に調整し、
前記第２の無線部は、前記切替スイッチにより接続されるアンテナ素子に応じてインピーダンス特性の調整方法を切替可能であって、前記切替スイッチにより接続された第２のアンテナ素子とのインピーダンス特性を前記第２の周波数特性に調整する、
携帯端末装置。
【請求項９】
請求項７記載の携帯端末装置であって、
前記第１の無線部は、当該第１の無線部の入力インピーダンス特性を用いて、前記第２の周波数帯における前記第１のアンテナ素子とのインピーダンス特性を、前記第１の周波数帯におけるインピーダンス特性より劣化させ、
前記第２の無線部は、当該第２の無線部の入力インピーダンス特性を用いて、前記第１の周波数帯における前記第２のアンテナ素子とのインピーダンス特性を、前記第２の周波数帯におけるインピーダンス特性より劣化させることを特徴とした、
携帯端末装置。
【請求項１０】
請求項１記載の携帯端末装置であって、
前記第１のアンテナ素子のインピーダンス特性は、前記第１の周波数帯域におけるVSWR値が第１の所定値以下であり、前記第２の周波数帯域におけるVSWR値が第２の所定値以上であり、
前記第２のアンテナ素子のインピーダンス特性は、前記第２の周波数帯域におけるVSWR値が第１の所定値以下であり、前記第１の周波数帯域におけるVSWR値が第２の所定値以上であることを特徴とした、携帯端末装置。
【請求項１１】
請求項３記載の携帯端末装置であって、
前記第１のアンテナ素子と前記第１のインピーダンス調整部とによるインピーダンス特性は、前記第１の周波数帯域におけるVSWR値が第１の所定値以下であり、前記第２の周波数帯域におけるVSWR値が第２の所定値以上であり、
前記第２のアンテナ素子と前記第２のインピーダンス調整部とによるインピーダンス特性は、前記第２の周波数帯域におけるVSWR値が第１の所定値以下であり、前記第１の周波数帯域におけるVSWR値が第２の所定値以上であることを特徴とした、
携帯端末装置。
【請求項１２】
請求項７記載の携帯端末装置であって、
前記第１のアンテナ素子と前記第１の無線部とによるインピーダンス特性は、前記第１の周波数帯域におけるVSWR値が第１の所定値以下であり、前記第２の周波数帯域におけるVSWR値が第２の所定値以上であり、
前記第２のアンテナ素子と前記第２の無線部とによるインピーダンス特性は、前記第２の周波数帯域におけるVSWR値が第１の所定値以下であり、前記第１の周波数帯域におけるVSWR値が第２の所定値以上であることを特徴とした、
携帯端末装置。
【手続補正２】
【補正対象書類名】明細書
【補正対象項目名】全文
【補正方法】変更
【補正の内容】
【発明の詳細な説明】
【技術分野】
【０００１】
本発明は、複数のアンテナを有する携帯端末装置に関し、特に、その複数のアンテナを利用した複数の無線通信機能を同時に実施する携帯端末装置に関する。
【背景技術】
【０００２】
近年の携帯電話等の携帯端末装置には、複数のアンテナを内蔵したものがあり、その複数のアンテナ素子の受信レベルを計測し、受信レベルの高いアンテナ素子を利用して、携帯無線通信を行うものがある。これにより、１つのアンテナ素子の受信特性が悪くなっても、受信特性の良好な別のアンテナ素子による携帯無線通信を行うことができるため、携帯電話利用者は、常に良好な無線通信環境のもとで快適な携帯無線通信を行うことができる。
【０００３】
このような携帯端末装置は現在、受信レベルの最も高い１つのアンテナ素子を携帯無線通信に用い、残りのアンテナ素子は携帯無線通信に用いない構成が主である。一方、近年の携帯端末装置は、音声通話やＥメールの送受信などに利用される携帯無線通信以外の無線通信を利用する無線機能、例えばテレビ放送受信機能、ＧＰＳ機能、非接触ＩＣとの無線通信機能、近距離無線（Ｂｌｕｅｔｏｏｔｈなど）を利用した外部装置との近距離無線通信機能など、を備えるようになってきている。このため、上述の残りのアンテナ素子をテレビ放送受信機能、ＧＰＳ機能、非接触ＩＣとの無線通信機能、近距離無線通信機能などの無線通信に用い、複数のアンテナを利用した複数の無線通信機能を同時に実施することができる携帯端末装置が求められている。
【０００４】
これまでは、無線通信に利用される周波数帯でのみ無線通信可能な（すなわち、狭帯域な）アンテナ素子をその無線通信機能ごとに別々に設けることにより、様々な無線通信機能を実施してきた。ところが、上述のように複数のアンテナを利用して複数の無線通信機能を同時に実施するためには、複数のアンテナ素子各々は、受信レベルが低い場合に携帯無線通信以外に上記の各種無線通信を行う可能性があることから、複数の無線通信に利用される周波数帯各々で無線通信可能である必要がある（すなわち、広帯域である必要がある）。しかしながら、複数の広帯域なアンテナ素子により同時期に無線通信を行うと、あるアンテナ素子によって受信すべき周波数帯の無線電波を別のアンテナ素子もまた受信してしまうなど、アンテナ結合により各アンテナ素子のアンテナ特性が劣化するという事態が起きてしまう。
【０００５】
ところで、特許文献１や特許文献２では、複数のアンテナを内蔵し、その複数のアンテナ素子の受信レベルを計測し、受信レベルの最も高い第１のアンテナ素子を利用して携帯無線通信を行い、一方で、受信レベルが低い第２のアンテナ素子が第１のアンテナ素子のアンテナ特性に与える影響を軽減することができる構成の無線機について記載されている。しかしながら、この構成の第２のアンテナ素子は携帯無線通信を行なっておらず、従って、特許文献１や特許文献２は、本発明が解決しようとするところの、アンテナ結合により各アンテナ素子のアンテナ特性が劣化するという事態を解決するものではない。
【特許文献１】特開２０００−３２４０２９号公報
【特許文献２】特開平７−２２１６８１号公報
【発明の開示】
【発明が解決しようとする課題】
【０００６】
本発明は、上記の事情に鑑みてなされたものであって、複数のアンテナを利用して複数の無線通信機能を同時に実施しても、アンテナ結合により各アンテナ素子のアンテナ特性が劣化することを低減することができる携帯端末装置を提供することを目的とする。
【課題を解決するための手段】
【０００７】
本発明の携帯端末装置は、第１の周波数帯の電波を利用して、無線通信を行う第１の無線部と、前記第１の周波数帯とは帯域の異なる第２の周波数帯の電波を利用して、無線通信を行う第２の無線部と、前記第１の無線部に接続された第１のアンテナ素子と、前記第２の無線部に接続された第２のアンテナ素子と、を備え、前記第１のアンテナ素子のインピーダンス特性が、少なくとも前記第１の周波数帯における特性が前記第２の周波数帯における特性より優れた第１の周波数特性を有し、前記第２のアンテナ素子のインピーダンス特性が、少なくとも前記第２の周波数帯における特性が前記第１の周波数帯における特性より優れた第２の周波数特性を有する、ものである。
【０００８】
この構成によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。
【０００９】
また、本発明の携帯端末装置は、前記アンテナ素子のうちのいずれか１つを前記第１の無線部に接続し、前記第１の無線部に接続していない前記アンテナ素子のうちのいずれか１つを前記第２の無線部に接続する切替スイッチを備え、前記アンテナ素子が、前記第１の周波数特性または前記第２の周波数特性にその特性を切替可能な構造であって、前記第１の無線部に接続されているときは前記第１の周波数特性に切り替えられ、前記第２の無線部に接続されているときは前記第２の周波数特性に切り替えられる、ものを含む。
【００１０】
この構成によれば、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、より快適な無線通信環境のもとで無線通信を行うことができる。
【００１１】
本発明の携帯端末装置は、第１の周波数帯の電波を利用して、無線通信を行う第１の無線部と、前記第１の周波数帯とは帯域の異なる第２の周波数帯の電波を利用して、無線通信を行う第２の無線部と、第１のアンテナ素子と、第２のアンテナ素子と、前記第１の無線部に接続され、前記第１のアンテナ素子とのインピーダンス特性を調整する、少なくとも整合回路またはフィルタを含む、第１のインピーダンス調整部と、前記第２の無線部に接続され、前記第２のアンテナ素子とのインピーダンス特性を調整する、少なくとも整合回路またはフィルタを含む、第２のインピーダンス調整部と、を備え、前記第１のアンテナ素子と前記第１のインピーダンス調整部とによるインピーダンス特性が、少なくとも前記第１の周波数帯における特性が前記第２の周波数帯における特性より優れた第１の周波数特性を有し、前記第２のアンテナ素子と前記第２のインピーダンス調整部とによるインピーダンス特性が、少なくとも前記第２の周波数帯における特性が前記第１の周波数帯における特性より優れた第２の周波数特性を有する、ものである。
【００１２】
この構成によれば、例えば整合回路が整合調整を行なってアンテナ素子の特定の帯域のインピーダンス特性を劣化させるため、本発明の携帯端末装置に利用するアンテナ素子を設計する際には、アンテナ素子による無線通信可能な帯域幅が複数の無線通信に利用される周波数帯各々をその中に含むことのみを考慮してアンテナ素子を設計すればよく、アンテナ素子の設計を簡便なものにすることができる。
【００１３】
また、本発明の携帯端末装置は、前記インピーダンス調整部のうちのいずれか１つを前記第１の無線部に接続し、前記第１の無線部に接続していない前記インピーダンス調整部のうちのいずれか１つを前記第２の無線部に接続する切替スイッチを備え、前記インピーダンス調整部が、前記第１の周波数特性または前記第２の周波数特性にそのインピーダンス特性を切替可能であって、前記第１の無線部に接続されているときは前記第１の周波数特性に切り替え、前記第２の無線部に接続されているときは前記第２の周波数特性に切り替える、ものを含む。
【００１４】
この構成によれば、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、より快適な無線通信環境のもとで無線通信を行うことができる。
【００１５】
また、本発明の携帯端末装置は、前記アンテナ素子のうちのいずれか１つを前記第１のインピーダンス調整部に接続し、前記第１のインピーダンス調整部に接続していない前記アンテナ素子のうちのいずれか１つを前記第２のインピーダンス調整部に接続する切替スイッチを備え、前記第１のインピーダンス調整部は、前記切替スイッチにより接続されるアンテナ素子に応じてインピーダンス特性の調整方法を切替可能であって、前記切替スイッチにより接続された第１のアンテナ素子とのインピーダンス特性を前記第１の周波数特性に調整し、前記第２のインピーダンス調整部は、前記切替スイッチにより接続されるアンテナ素子に応じてインピーダンス特性の調整方法を切替可能であって、前記切替スイッチにより接続された第２のアンテナ素子とのインピーダンス特性を前記第２の周波数特性に調整する、ものを含む。
【００１６】
この構成によれば、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、より快適な無線通信環境のもとで無線通信を行うことができる。
【００１７】
また、本発明の携帯端末装置は、前記アンテナ素子のうちのいずれか１つを前記第１のインピーダンス調整部に接続し、前記第１のインピーダンス調整部に接続していない前記アンテナ素子のうちのいずれか１つを前記第２のインピーダンス調整部に接続する切替スイッチを備え、前記第１のアンテナ素子および前記第２のアンテナ素子は、インピーダンス特性が略同一であり、前記第１のインピーダンス調整部が、前記切替スイッチにより接続された第１のアンテナ素子とのインピーダンス特性を前記第１の周波数特性に調整し、前記第２のインピーダンス調整部が、前記切替スイッチにより接続された第２のアンテナ素子とのインピーダンス特性を前記第２の周波数特性に調整する、ものを含む。
【００１８】
この構成によれば、インピーダンス調整部が、接続される各アンテナ素子毎にインピーダンス特性の調整方法を切り替える必要がないため、インピーダンス調整部の構成を簡略化できる。
【００１９】
本発明の携帯端末装置は、第１の周波数帯の電波を利用して、無線通信を行う第１の無線部と、前記第１の周波数帯とは帯域の異なる第２の周波数帯の電波を利用して、無線通信を行う第２の無線部と、前記第１の無線部に接続された第１のアンテナ素子と、前記第２の無線部に接続された第２のアンテナ素子と、を備え、前記第１の無線部が、当該第１の無線部の入力インピーダンス特性を用いて、前記第１のアンテナ素子とのインピーダンス特性を調整し、前記第２の無線部が、当該第２の無線部の入力インピーダンス特性を用いて、前記第２のアンテナ素子とのインピーダンス特性を調整し、前記第１のアンテナ素子と前記第１の無線部によるインピーダンス特性は、少なくとも前記第１の周波数帯における特性が前記第２の周波数帯における特性より優れた第１の周波数特性を有し、前記第２のアンテナ素子と前記第２の無線部によるインピーダンス特性は、少なくとも前記第２の周波数帯における特性が前記第１の周波数帯における特性より優れた第２の周波数特性を有する、ものである。
【００２０】
この構成によれば、無線部が整合調整を行なってアンテナ素子の特定の帯域のインピーダンス特性を劣化させるため、本発明の携帯端末装置に利用するアンテナ素子を設計する際には、アンテナ素子による無線通信可能な帯域幅が複数の無線通信に利用される周波数帯各々をその中に含むことのみを考慮してアンテナ素子を設計すればよく、アンテナ素子の設計を簡便なものにすることができる。
【００２１】
また、本発明の携帯端末装置は、前記アンテナ素子のうちのいずれか１つを前記第１の無線部に接続し、前記第１の無線部に接続していない前記アンテナ素子のうちのいずれか１つを前記第２の無線部に接続する切替スイッチを備え、前記第１の無線部が、前記切替スイッチにより接続されるアンテナ素子に応じてインピーダンス特性の調整方法を切替可能であって、前記切替スイッチにより接続された第１のアンテナ素子とのインピーダンス特性を前記第１の周波数特性に調整し、前記第２の無線部が、前記切替スイッチにより接続されるアンテナ素子に応じてインピーダンス特性の調整方法を切替可能であって、前記切替スイッチにより接続された第２のアンテナ素子とのインピーダンス特性を前記第２の周波数特性に調整する、ものを含む。
【００２２】
この構成によれば、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、より快適な無線通信環境のもとで無線通信を行うことができる。
【発明の効果】
【００２３】
本発明の携帯端末装置は、複数のアンテナを利用して複数の無線通信機能を同時に実施しても、アンテナ結合により各アンテナ素子のアンテナ特性が劣化することを低減することができる。
【発明を実施するための最良の形態】
【００２４】
以下、本発明の実施の形態の携帯端末装置について、第１実施形態から第７実施形態の具体例をもって詳細に説明する。
【００２５】
（第１実施形態）
本発明の第１実施形態の携帯端末装置について、図１（ａ）に示す本発明の第１実施形態の携帯端末装置の構成図（図面右側）と、図１（ｂ）、図１（ｃ）に示すＶＳＷＲ（Voltage Standing wave Ratio）特性と、を参照して説明する。
【００２６】
本発明の第１実施形態の携帯端末装置１は、図１（ａ）に示すように、第１のアンテナ素子１１、第２のアンテナ素子２１、第１の無線部１２、および第２の無線部２２、を有する構成である。
【００２７】
第１の無線部１２および第２の無線部２２は、音声通話やＥメール等の携帯無線通信を行なう無線通信機能や、ＧＰＳシステムに利用される無線通信機能や、テレビ機能や、近距離無線システム等の無線システムに利用される無線通信機能を実施する。第１の無線部１２と第２の無線部２２は、それぞれ異なる無線通信機能を実施することを想定しており、従って、各々に接続されたアンテナ素子２１、２２を利用して、それぞれ異なる周波数帯域の電波による無線通信を行なう。なお、図１では、第１の無線部１２が無線通信に利用する電波の周波数をｆ１、第２の無線部２２が無線通信に利用する電波の周波数をｆ２、として表記している。
【００２８】
第１のアンテナ素子１１および第２のアンテナ素子２１は、近年の携帯端末装置が備えるモノポールアンテナや、２つの筐体から構成される近年の携帯端末装置であればヒンジ部、あるいはヒンジ部付近に配置されたアンテナなどである。なお、第１のアンテナ素子１１および第２のアンテナ素子２１は、これらのアンテナに限定されるものではなく、携帯端末装置に搭載される各種アンテナがその適用範囲に含まれる。また、第１のアンテナ素子１１は、図１（ｂ）に示すＶＳＷＲ特性を有する。すなわち、第１のアンテナ素子１１は、第１の無線部１２が無線電波の対象とする周波数ｆ１においてＶＳＷＲ値が低く、第２の無線部２２が無線電波の対象とする周波数ｆ２においてＶＳＷＲ値が高くなるよう、第２の無線部２２の使用周波数帯域におけるインピーダンス特性を劣化させている。なお、周波数ｆ１におけるＶＳＷＲ値は３以下であれば実用上問題がなく、一方、周波数ｆ２におけるＶＳＷＲ値は６以上であることが好ましい。
また、第２のアンテナ素子１２は、図１（ｃ）に示すＶＳＷＲ特性を有する。すなわち、第１のアンテナ素子１２は、逆に、第１の無線部１２が無線電波の対象とする周波数ｆ１においてＶＳＷＲ値が高く、第２の無線部２２が無線電波の対象とする周波数ｆ２においてＶＳＷＲ値が低くなるよう、第１の無線部１２の使用周波数帯域におけるインピーダンス特性を劣化させている。なお、周波数ｆ１におけるＶＳＷＲ値は６以上であることが好ましく、一方、周波数ｆ２におけるＶＳＷＲ値は３以下であれば実用上問題がない。
【００２９】
本発明の第１実施形態の携帯端末装置によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。
【００３０】
なお、第１実施形態では、２つの無線部にそれぞれアンテナ素子が接続された携帯端末装置について説明したが、３つ以上の無線部にそれぞれアンテナ素子が接続された場合も同様である。すなわち、アンテナ素子は、当該アンテナ素子を接続した無線部が無線電波の対象とする周波数においてＶＳＷＲ値が高く、当該アンテナ素子を接続していない他の無線部が無線電波の対象とする周波数それぞれにおいてＶＳＷＲ値が低くなるよう、他の無線部の使用周波数帯域におけるインピーダンス特性を劣化させれば良い。
【００３１】
（第２実施形態）
本発明の第２実施形態の携帯端末装置について、図２（ａ）に示す本発明の第２実施形態の携帯端末装置の構成図（図面右側）と、図２（ｂ）、図２（ｃ）に示すＶＳＷＲ（Voltage Standing wave Ratio）特性と、を参照して説明する。
【００３２】
本発明の第２実施形態の携帯端末装置１は、図２（ａ）に示すように、第１のアンテナ素子３１、第２のアンテナ素子４１、第１の無線部１２、第２の無線部２２、スイッチ５１、および制御回路６１を有する構成である。第１実施形態での説明に用いた参照符号と同一のものは、第１実施形態と共通であるため、説明を省略する。
【００３３】
第１のアンテナ素子３１および第２のアンテナ素子４１は、例えば、逆Ｆ型アンテナ（線状、板状であっても構わない）によって構成され、短絡部の短絡・開放に応じて逆Ｆ型アンテナ・Ｌ型アンテナ（またはモノポールアンテナ）に構造が変形し、これによってアンテナ特性が下記に説明するように切り替わるものである。すなわち、第１のアンテナ素子３１および第２のアンテナ素子４１は、構造の変形によって、図２（ｂ）に示すＶＳＷＲ特性あるいは図２（ｃ）に示すＶＳＷＲ特性にアンテナ特性が切り替わる。具体的には、第１のアンテナ素子３１の１つの構造では、図２（ｂ）に示すように、第１の無線部１２が無線電波の対象とする周波数ｆ１においてＶＳＷＲ値が低く、第２の無線部２２が無線電波の対象とする周波数ｆ２においてＶＳＷＲ値が高くなるよう、第２の無線部２２の使用周波数帯域のインピーダンス特性を劣化させており、また、第１のアンテナ素子の別の構造では、図２（ｃ）に示すように、第１の無線部１２が無線電波の対象とする周波数ｆ１においてＶＳＷＲ値が高く、第２の無線部２２が無線電波の対象とする周波数ｆ２においてＶＳＷＲ値が低くなるよう、第１の無線部１２の使用周波数帯域のインピーダンス特性を劣化させている。第２のアンテナ素子４１も、第１のアンテナ素子３１と同様、アンテナ特性が切り替わる。
【００３４】
スイッチ５１は、図２（ａ）に示すように、第１のアンテナ素子３１と第１の無線部１２、第２のアンテナ素子４１と第２の無線部２２をそれぞれ対にして接続するか、あるいは、第１のアンテナ素子３１と第２の無線部２２、第２のアンテナ素子４１と第１の無線部１２をそれぞれ対にして接続するか、を切り替える構成である。スイッチ５１は、例えば、２回路２接点スイッチ（DPDT：Double-Pole, Double-Throw）によって構成される。
【００３５】
制御回路６１は、スイッチ５１の切り替えに応じて、第１のアンテナ素子３１および第２のアンテナ素子４１の構造を切り替える。例えば、第１のアンテナ素子３１および第２のアンテナ素子４１が逆Ｆ型アンテナによって構成されていれば、制御回路６１は、短絡部の短絡・開放をスイッチングする。制御回路６１は、スイッチ５１が第１のアンテナ素子３１と第１の無線部１２、第２のアンテナ素子４１と第２の無線部２２を対にして接続している場合、第１のアンテナ素子３１の短絡部を短絡し、一方、第２のアンテナ素子４１の短絡部を開放する。制御回路６１は、逆に、スイッチ５１が第１のアンテナ素子３１と第２の無線部２２、第２のアンテナ素子４１と第１の無線部１２を対にして接続している場合、第１のアンテナ素子３１の短絡部を開放し、一方、第２のアンテナ素子４１の短絡部を短絡する。
【００３６】
本発明の第２実施形態の携帯端末装置によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。また、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、上述の効果を保ちつつ、より快適な無線通信環境のもとで無線通信を行うことができる。
【００３７】
なお、第２実施形態では、２つの無線部にそれぞれアンテナ素子が接続された携帯端末装置について説明したが、３つ以上の無線部にそれぞれアンテナ素子が接続された場合は以下のようになる。すなわち、アンテナ素子は、少なくとも３つ以上の構造に変形し、１つの構造毎に異なる無線部を対応付け、その対応付けたある無線部が無線電波の対象とする周波数においてＶＳＷＲ値が高く、残りの無線部が無線電波の対象とする周波数それぞれにおいてＶＳＷＲ値が低くなるよう、残りの無線部の使用周波数帯域におけるインピーダンス特性を劣化させれば良い。また、スイッチおよび制御回路は、その対応関係に準じた無線部をアンテナ素子に接続し、その対応関係に準じたアンテナ素子の構造に切り替える。
【００３８】
（第３実施形態）
本発明の第３実施形態の携帯端末装置について、図３（ａ）に示す本発明の第３実施形態の携帯端末装置の構成図（図面右側）と、図３（ｂ）、図３（ｃ）に示すＶＳＷＲ（Voltage Standing wave Ratio）特性と、を参照して説明する。
【００３９】
本発明の第３実施形態の携帯端末装置１は、図３（ａ）に示すように、第１のアンテナ素子１１、第２のアンテナ素子２１、第１の無線部１２、第２の無線部２２、第１の整合回路１３、および第２の整合回路２３を有する構成である。第１実施形態での説明に用いた参照符号と同一のものは、第１実施形態と共通であるため、説明を省略する。
【００４０】
本発明の第１、２実施形態の携帯端末装置では、インピーダンス特性を一部劣化させた第１のアンテナ素子１１および第２のアンテナ素子２１（インピーダンス特性が一部劣化するように設計された構造のアンテナ素子）を備える構成としたが、本発明の第３実施形態の携帯端末装置では、第１のアンテナ素子１１および第２のアンテナ素子２１のインピーダンス特性を一部劣化させるために整合回路を用いる構成とする。
【００４１】
第１の整合回路１３は、第１のアンテナ素子１１と第１の無線部１２に接続され、第１のアンテナ素子１１のインピーダンス特性の整合調整を行なって、第１のアンテナ素子１１と第１の整合回路１３から成る第１のアンテナ部のＶＳＷＲ特性を図３（ｂ）に示すＶＳＷＲ特性になるようにする。すなわち、第１のアンテナ部は、第１の無線部１２が無線電波の対象とする周波数ｆ１においてＶＳＷＲ値が低く、第２の無線部２２が無線電波の対象とする周波数ｆ２においてＶＳＷＲ値が高くなるよう、第２の無線部２２の使用周波数帯域におけるインピーダンス特性を劣化させている。第２の整合回路は、第２のアンテナ素子２１と第２の無線部２２に接続され、第２のアンテナ素子２１のインピーダンス特性の整合調整を行なって、第２のアンテナ素子２１と第２の整合回路２３から成る第２のアンテナ部のＶＳＷＲ特性を図３（ｃ）に示すＶＳＷＲ特性になるようにする。すなわち、第２のアンテナ部は、第２の無線部２２が無線電波の対象とする周波数ｆ２においてＶＳＷＲ値が低く、第１の無線部１２が無線電波の対象とする周波数ｆ１においてＶＳＷＲ値が高くなるよう、第１の無線部１２の使用周波数帯域におけるインピーダンス特性を劣化させている。
【００４２】
本発明の第３実施形態の携帯端末装置によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。また、整合回路が整合調整を行なってアンテナ素子の特定の帯域のインピーダンス特性を劣化させるため、本発明の携帯端末装置に利用するアンテナ素子を設計する際には、アンテナ素子による無線通信可能な帯域幅が複数の無線通信に利用される周波数帯各々をその中に含むことのみを考慮してアンテナ素子を設計すればよく、アンテナ素子の設計を簡便なものにすることができる。
【００４３】
なお、第１のアンテナ素子と第１の整合回路あるいは第２のアンテナ素子と第２の整合回路との間、第１の整合回路と第１の無線部あるいは第２の整合回路と第２の無線部との間にフィルタを追加する構成として、それぞれ所定の周波数帯域におけるインピーダンス特性を劣化（所定の周波数帯域をカット）させるようにしても、同様の効果を得ることができる。
【００４４】
（第４実施形態）
本発明の第４実施形態の携帯端末装置について、図４（ａ）に示す本発明の第４実施形態の携帯端末装置の構成図（図面右側）と、図４（ｂ）、図４（ｃ）に示すＶＳＷＲ（Voltage Standing wave Ratio）特性と、を参照して説明する。
【００４５】
本発明の第４実施形態の携帯端末装置１は、図４（ａ）に示すように、第１のアンテナ素子１１、第２のアンテナ素子２１、第１の無線部１２、第２の無線部２２、第１の整合回路３３、第２の整合回路４３、スイッチ５２、および制御回路６２を有する構成である。第１実施形態での説明に用いた参照符号と同一のものは、第１実施形態と共通であるため、説明を省略する。
【００４６】
本発明の第１、２実施形態の携帯端末装置では、インピーダンス特性を一部劣化させた第１のアンテナ素子１１および第２のアンテナ素子２１（インピーダンス特性が一部劣化するように設計された構造のアンテナ素子）を備える構成としたが、本発明の第４実施形態の携帯端末装置では、第１のアンテナ素子１１および第２のアンテナ素子２１のインピーダンス特性を一部劣化させるために整合回路を用いる構成とする。
【００４７】
第１の整合回路３３は、図５のように構成される。制御回路６２からの指示に応じてスイッチ３３３を開状態にすることによって、第１のアンテナ用整合部３３１が、第１のアンテナ素子１１のインピーダンス特性の整合調整を行なって、第１のアンテナ素子１１とのＶＳＷＲ特性を図４（ｂ）に示すＶＳＷＲ特性にする。また、第１の整合回路３３は、制御回路６２からの指示に応じてスイッチ３３３を閉状態にすることによって、第１のアンテナ用整合部３３１と一端が接地されたインピーダンス素子（Ｘ１）３３２が、第１のアンテナ素子１１のインピーダンス特性の整合調整を行なって、第１のアンテナ素子１１とのＶＳＷＲ特性を図４（ｃ）に示すＶＳＷＲ特性にする。インピーダンス素子３３２は予め、第１のアンテナ素子１１と第１のアンテナ用整合部３３１とのＶＳＷＲ特性が図４（ｃ）に示すＶＳＷＲ特性になるものが接続されているものとする。
【００４８】
第２の整合回路４３もまた、図５のように構成される。制御回路６２からの指示に応じてスイッチ４３３を開状態にすることによって、第２のアンテナ用整合部４３１が、第２のアンテナ素子２１のインピーダンス特性の整合調整を行なって、第２のアンテナ素子２１とのＶＳＷＲ特性を図４（ｃ）に示すＶＳＷＲ特性にする。また、第２の整合回路４３は、制御回路６２からの指示に応じてスイッチ４３３を閉状態にすることによって、第２のアンテナ用整合部４３１と一端が接地されたインピーダンス素子（Ｘ２）４３２が、第２のアンテナ素子２１のインピーダンス特性の整合調整を行なって、第２のアンテナ素子２１とのＶＳＷＲ特性を図４（ｂ）に示すＶＳＷＲ特性にする。インピーダンス素子４３２は予め、第２のアンテナ素子２１と第２のアンテナ用整合部４３１とのＶＳＷＲ特性が図４（ｂ）に示すＶＳＷＲ特性になるものが接続されているものとする。
【００４９】
スイッチ５２は、図４（ａ）に示すように、第１の整合回路３３と第１の無線部１２、第２の整合回路４３と第２の無線部２２をそれぞれ対にして接続するか、あるいは、第１の整合回路３３と第２の無線部２２、第２の整合回路４３と第１の無線部１２をそれぞれ対にして接続するか、を切り替える構成である。スイッチ５２は、例えば、２回路２接点スイッチ（DPDT：Double-Pole, Double-Throw）によって構成される。
【００５０】
制御回路６２は、スイッチ５２の切り替えに応じて、整合回路内のスイッチ３３３、４３３の開閉を切り替える。制御回路６２は、スイッチ５２が第１の整合回路３３と第１の無線部１２、第２の整合回路４３と第２の無線部２２を対にして接続している場合、第１の整合回路３３のスイッチ３３３を開状態にし、一方、第２の整合回路４３のスイッチ４３３を開状態にする。制御回路６２は、逆に、スイッチ５２が第１の整合回路３３と第２の無線部２２、第２の整合回路４３と第１の無線部１２を対にして接続している場合、第１の整合回路３３のスイッチ３３３を閉状態にし、一方、第２の整合回路４３のスイッチ４３３を閉状態にする。
【００５１】
本発明の第４実施形態の携帯端末装置によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。また、整合回路が整合調整を行なってアンテナ素子の特定の帯域のインピーダンス特性を劣化させるため、本発明の携帯端末装置に利用するアンテナ素子を設計する際には、アンテナ素子による無線通信可能な帯域幅が複数の無線通信に利用される周波数帯各々をその中に含むことのみを考慮してアンテナ素子を設計すればよく、アンテナ素子の設計を簡便なものにすることができる。また、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、上述の効果を保ちつつ、より快適な無線通信環境のもとで無線通信を行うことができる。
【００５２】
なお、第１のアンテナ素子１１と第１の整合回路３３あるいは第２のアンテナ素子１２と第２の整合回路４３との間、第１の整合回路３３とスイッチ５２あるいは第２の整合回路４３とスイッチ５２との間、スイッチ５２と第１の無線部１２あるいはスイッチ５２と第２の無線部２２との間に、フィルタを追加する構成として、それぞれ所定の周波数帯域におけるインピーダンス特性を劣化（所定の周波数帯域をカット）させるようにしても、同様の効果を得ることができる。
【００５３】
（第５実施形態）
本発明の第５実施形態の携帯端末装置について、図６（ａ）に示す本発明の第５実施形態の携帯端末装置の構成図（図面右側）と、図６（ｂ）、図６（ｃ）に示すＶＳＷＲ（Voltage Standing wave Ratio）特性と、を参照して説明する。
【００５４】
本発明の第５実施形態の携帯端末装置１は、図６（ａ）に示すように、第１のアンテナ素子１１、第２のアンテナ素子２１、第１の無線部１２、第２の無線部２２、第１の整合回路３３、第２の整合回路４３、スイッチ５３、および制御回路６３を有する構成である。第４実施形態での説明に用いた参照符号と同一のものは、第４実施形態と共通であるため、説明を省略する。
【００５５】
本発明の第４実施形態の携帯端末装置では、整合回路３３、４３と無線部１２、２２との間にスイッチ５２を配設し、その間の接続を切り替えるようにしたが、本発明の第５実施形態の携帯端末装置では、アンテナ素子１１、２１と整合回路３３、４３との間にスイッチ５３を配設し、その間の接続を切り替えるようにする。このため、第１の整合回路３３（あるいは第２の整合回路４３）は、第４実施形態では、接続される無線部１２、２２に応じて第１のアンテナ素子１１（あるいは第２のアンテナ素子２１）とのＶＳＷＲ特性を図４（ｂ）、図４（ｃ）のどちらかに切り替える構成であったが、第５実施形態では、接続されるアンテナ素子１１、２１とのＶＳＷＲ特性を図６（ｂ）のＶＳＷＲ特性（あるいは図６（ｃ）のＶＳＷＲ特性）に統一するよう、アンテナ素子１１、２１のインピーダンス特性の整合調整を行なう。
【００５６】
第１の整合回路３３は、図７のように構成される。制御回路６３からの指示に応じてスイッチ３３３を開状態にすることによって、第１のアンテナ用整合部３３１が、第１のアンテナ素子１１のインピーダンス特性の整合調整を行なって、第１のアンテナ素子１１とのＶＳＷＲ特性を図６（ｂ）に示すＶＳＷＲ特性にする。また、第１の整合回路３３は、制御回路６３からの指示に応じてスイッチ３３３を閉状態にすることによって、第１のアンテナ用整合部３３１と一端が接地されたインピーダンス素子（Ｘ１）３３２が、第２のアンテナ素子２１のインピーダンス特性の整合調整を行なって（このときスイッチ５３により、第２のアンテナ素子２１と第１の整合回路３３が接続されている）、第２のアンテナ素子２１とのＶＳＷＲ特性を図６（ｂ）に示すＶＳＷＲ特性にする。インピーダンス素子３３２は予め、第２のアンテナ素子２１と第１のアンテナ用整合部３３１とのＶＳＷＲ特性が図６（ｂ）に示すＶＳＷＲ特性になるものが接続されているものとする。
【００５７】
第２の整合回路４３もまた、図７のように構成される。制御回路６３からの指示に応じてスイッチ４３３を開状態にすることによって、第２のアンテナ用整合部４３１が、第２のアンテナ素子２１のインピーダンス特性の整合調整を行なって、第２のアンテナ素子２１とのＶＳＷＲ特性を図７（ｃ）に示すＶＳＷＲ特性にする。また、第２の整合回路４３は、制御回路６３からの指示に応じてスイッチ４３３を閉状態にすることによって、第２のアンテナ用整合部４３１と一端が接地されたインピーダンス素子（Ｘ２）４３２が、第１のアンテナ素子１１のインピーダンス特性の整合調整を行なって（このときスイッチ５３により、第１のアンテナ素子１１と第２の整合回路４３が接続されている）、第１のアンテナ素子２１とのＶＳＷＲ特性を図６（ｃ）に示すＶＳＷＲ特性にする。インピーダンス素子４３２は予め、第１のアンテナ素子１１と第２のアンテナ用整合部４３１とのＶＳＷＲ特性が図６（ｃ）に示すＶＳＷＲ特性になるものが接続されているものとする。
【００５８】
スイッチ５３は、図６（ａ）に示すように、第１のアンテナ素子１１と第１の整合回路３３、第２のアンテナ素子２１と第２の整合回路４３をそれぞれ対にして接続するか、あるいは、第１のアンテナ素子１１と第２の整合回路４３、第２のアンテナ素子２１と第１の整合回路３３をそれぞれ対にして接続するか、を切り替える構成である。スイッチ５３は、例えば、２回路２接点スイッチ（DPDT：Double-Pole, Double-Throw）によって構成される。
【００５９】
制御回路６３は、スイッチ５３の切り替えに応じて、整合回路内のスイッチ３３３、４３３の開閉を切り替える。制御回路６３は、スイッチ５３が第１のアンテナ素子１１と第１の整合回路３３、第２のアンテナ素子２１と第２の整合回路４３をそれぞれ対にして接続している場合、第１の整合回路３３のスイッチ３３３を開状態にし、一方、第２の整合回路４３のスイッチ４３３を開状態にする。制御回路６２は、逆に、スイッチ５２が第１のアンテナ素子１１と第２の整合回路４３、第２のアンテナ素子２１と第１の整合回路３３をそれぞれ対にして接続している場合、第１の整合回路３３のスイッチ３３３を閉状態にし、一方、第２の整合回路４３のスイッチ４３３を閉状態にする。
【００６０】
本発明の第５実施形態の携帯端末装置によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。また、整合回路が整合調整を行なってアンテナ素子の特定の帯域のインピーダンス特性を劣化させるため、本発明の携帯端末装置に利用するアンテナ素子を設計する際には、アンテナ素子による無線通信可能な帯域幅が複数の無線通信に利用される周波数帯各々をその中に含むことのみを考慮してアンテナ素子を設計すればよく、アンテナ素子の設計を簡便なものにすることができる。また、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、上述の効果を保ちつつ、より快適な無線通信環境のもとで無線通信を行うことができる。
【００６１】
なお、第１のアンテナ素子１１とスイッチ５３あるいは第２のアンテナ素子１２とスイッチ５３との間、スイッチ５３と第１の整合回路３３あるいはスイッチ５３と第２の整合回路４３との間、第１の整合回路３３と第１の無線部１２あるいは第２の整合回路４３と第２の無線部２２との間に、フィルタを追加する構成として、それぞれ所定の周波数帯域におけるインピーダンス特性を劣化（所定の周波数帯域をカット）させるようにしても、同様の効果を得ることができる。
【００６２】
また、第５実施形態において、特に、アンテナ素子１１、２１が略同じアンテナ性能を有する場合、整合回路３３、３４は、接続されたアンテナ素子１１、２１に対して同様の整合調整を行なってアンテナ素子１１、２１とのインピーダンス特性を所定の特性にすれば良いため（すなわち、図７にしめすインピーダンス素子３３２、４３２を用いる必要はないため）、制御回路６３から指示に応じてスイッチ３３３、４３３を開閉する必要がなくなる。従って、制御回路６３を設ける必要がなくなるため、本発明の携帯端末装置の小型化が可能となる。
【００６３】
（第６実施形態）
本発明の第６実施形態の携帯端末装置について、図８（ａ）に示す本発明の第６実施形態の携帯端末装置の構成図（図面右側）と、図８（ｂ）、図８（ｃ）に示すＶＳＷＲ（Voltage Standing wave Ratio）特性と、を参照して説明する。
【００６４】
本発明の第６実施形態の携帯端末装置１は、図８（ａ）に示すように、第１のアンテナ素子１１、第２のアンテナ素子２１、第１の無線部１４、第２の無線部２４、第１の整合回路１３、および第２の整合回路２３を有する構成である。第３実施形態での説明に用いた参照符号と同一のものは、第３実施形態と共通であるため、説明を省略する。
【００６５】
本発明の第６実施形態の携帯端末装置では、第１のアンテナ素子１１および第２のアンテナ素子２１のインピーダンス特性を一部劣化させるために、入力インピーダンス特性を調整可能なローノイズアンプ（ＬＮＡ）を搭載した無線部１４、２４を用いる構成とする。
【００６６】
第１の無線部１４は、自身の入力インピーダンス特性を調整して、第１のアンテナ素子１１と第１の整合回路１３と第１の無線部１４とから成る第１のアンテナ部のインピーダンス特性を図８（ｂ）に示すＶＳＷＲ特性にする。すなわち、第１のアンテナ部は、第１の無線部１４が無線電波の対象とする周波数ｆ１においてＶＳＷＲ値が低く、第２の無線部２４が無線電波の対象とする周波数ｆ２においてＶＳＷＲ値が高くなるよう、第２の無線部２４の使用周波数帯域におけるインピーダンス特性を劣化させている。第２の無線部２４は、自身の入力インピーダンス特性を調整して、第２のアンテナ素子２１と第２の整合回路２３と第２の無線部２４とから成る第２のアンテナ部のインピーダンス特性を図８（ｃ）に示すＶＳＷＲ特性にする。すなわち、第２のアンテナ部は、第２の無線部２４が無線電波の対象とする周波数ｆ２においてＶＳＷＲ値が低く、第１の無線部１４が無線電波の対象とする周波数ｆ１においてＶＳＷＲ値が高くなるよう、第１の無線部１４の使用周波数帯域におけるインピーダンス特性を劣化させている。
【００６７】
本発明の第６実施形態の携帯端末装置によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。また、無線部が整合調整を行なってアンテナ素子の特定の帯域のインピーダンス特性を劣化させるため、本発明の携帯端末装置に利用するアンテナ素子を設計する際には、アンテナ素子による無線通信可能な帯域幅が複数の無線通信に利用される周波数帯各々をその中に含むことのみを考慮してアンテナ素子を設計すればよく、アンテナ素子の設計を簡便なものにすることができる。
【００６８】
（第７実施形態）
本発明の第７実施形態の携帯端末装置について、図９（ａ）に示す本発明の第７実施形態の携帯端末装置の構成図（図面右側）と、図９（ｂ）、図９（ｃ）に示すＶＳＷＲ（Voltage Standing wave Ratio）特性と、を参照して説明する。
【００６９】
本発明の第７実施形態の携帯端末装置１は、図９（ａ）に示すように、第１のアンテナ素子１１、第２のアンテナ素子２１、第１の無線部３４、第２の無線部４４、第１の整合回路１３、第２の整合回路２３をスイッチ５４、および制御回路６４を有する構成である。第３実施形態での説明に用いた参照符号と同一のものは、第３実施形態と共通であるため、説明を省略する。
【００７０】
本発明の第７実施形態の携帯端末装置では、第１のアンテナ素子１１および第２のアンテナ素子２１のインピーダンス特性を一部劣化させるために、入力インピーダンス特性を調整可能なローノイズアンプ（ＬＮＡ）を搭載した無線部３４、４４を用いる構成とする。
【００７１】
第１の無線部３４は、制御回路６４からの指示に応じて入力インピーダンス特性を調整することによって、第１のアンテナ素子１１から第１の無線部３４にかけてのインピーダンス特性あるいは第２のアンテナ素子２１から第１の無線部３４にかけてのインピーダンス特性を図９（ｂ）に示すＶＳＷＲ特性に切り替える。また、第２の無線部４４は、制御回路６４からの指示に応じて入力インピーダンス特性を調整することによって、第１のアンテナ素子１１から第２の無線部４４にかけてのインピーダンス特性あるいは第２のアンテナ素子２１から第２の無線部４４にかけてのインピーダンス特性を図９（ｃ）に示すＶＳＷＲ特性に切り替える。
【００７２】
スイッチ５４は、図９（ａ）に示すように、第１の整合回路１３と第１の無線部３４、第２の整合回路２３と第２の無線部４４を対にして接続するか、あるいは、第１の整合回路１３と第２の無線部４４、第２の整合回路２３と第１の無線部３４を対にして接続するか、を切り替える構成である。
【００７３】
制御回路６４は、スイッチ５４の切り替えに応じて、入力インピーダンス特性を調整する指示を第１の無線部３４および第２の無線部４４に送出する。制御回路６４は、スイッチ５４が第１の整合回路１３と第１の無線部３４、第２の整合回路２３と第２の無線部４４を対にして接続している場合、第１のアンテナ素子１１から第１の無線部３４にかけてのインピーダンス特性を図９（ｂ）に示すＶＳＷＲ特性に調整する指示を第１の無線部３４に送出し、一方、第２のアンテナ素子２１から第２の無線部４４にかけてのインピーダンス特性を図９（ｃ）に示すＶＳＷＲ特性に調整する指示を第２の無線部４４に送出する。制御回路６２は、逆に、スイッチ５４が第１の整合回路１３と第２の無線部４４、第２の整合回路２３と第１の無線部３４を対にして接続している場合、第２のアンテナ素子２１から第１の無線部３４にかけてのインピーダンス特性を図９（ｂ）に示すＶＳＷＲ特性に調整する指示を第１の無線部３４に送出し、一方、第１のアンテナ素子１１から第２の無線部４４にかけてのインピーダンス特性を図９（ｃ）に示すＶＳＷＲ特性に調整する指示を第２の無線部４４に送出する。
【００７４】
本発明の第７実施形態の携帯端末装置によれば、各アンテナ素子は、他のアンテナ素子が利用している使用周波数帯域のインピーダンス特性が劣化しているため、他のアンテナ素子とのアンテナ結合が発生し難く、その結果アンテナ特性が劣化することを低減することができる。また、無線部が整合調整を行なってアンテナ素子の特定の帯域のインピーダンス特性を劣化させるため、本発明の携帯端末装置に利用するアンテナ素子を設計する際には、アンテナ素子による無線通信可能な帯域幅が複数の無線通信に利用される周波数帯各々をその中に含むことのみを考慮してアンテナ素子を設計すればよく、アンテナ素子の設計を簡便なものにすることができる。また、各アンテナ素子のアンテナ性能（指向性、電力利得等。ＶＳＷＲ特性は除く）に違いがある場合に、ある無線通信機能を有する特定の無線部をその無線通信に適したアンテナ性能を有するアンテナ素子に接続することができるため、上述の効果を保ちつつ、より快適な無線通信環境のもとで無線通信を行うことができる。また、制御回路から無線部に電気的に指示を送出する構成であるため（第２、４実施形態のように、スイッチング回路を設ける必要がないため）、集積化が容易である。
【産業上の利用可能性】
【００７５】
本発明の携帯端末装置は、複数のアンテナを利用して複数の無線通信機能を同時に実施しても、アンテナ結合により各アンテナ素子のアンテナ特性が劣化することを低減することができるという効果を奏し、複数のアンテナを利用した複数の無線通信機能を同時に実施することが求められる携帯端末装置の分野において有用である。
【００７６】
本発明を詳細にまた特定の実施態様を参照して説明したが、本発明の精神と範囲を逸脱することなく様々な変更や修正を加えることができることは当業者にとって明らかである。
【図面の簡単な説明】
【００７７】
【図１】（ａ）本発明の第１実施形態の携帯端末装置の構成図（図面右側）、（ｂ）、（ｃ）本発明の第１実施形態の携帯端末装置におけるアンテナ素子のＶＳＷＲ（Voltage Standing wave Ratio）特性
【図２】（ａ）本発明の第２実施形態の携帯端末装置の構成図（図面右側）、（ｂ）、（ｃ）本発明の第２実施形態の携帯端末装置におけるアンテナ素子のＶＳＷＲ（Voltage Standing wave Ratio）特性
【図３】（ａ）本発明の第３実施形態の携帯端末装置の構成図（図面右側）、（ｂ）、（ｃ）本発明の第３実施形態の携帯端末装置における整合後のＶＳＷＲ（Voltage Standing wave Ratio）特性
【図４】（ａ）本発明の第４実施形態の携帯端末装置の構成図（図面右側）、（ｂ）、（ｃ）本発明の第４実施形態の携帯端末装置における整合後のＶＳＷＲ（Voltage Standing wave Ratio）特性
【図５】本発明の第４実施形態の携帯端末装置における整合回路の構成図
【図６】（ａ）本発明の第５実施形態の携帯端末装置の構成図（図面右側）、（ｂ）、（ｃ）本発明の第５実施形態の携帯端末装置における整合後のＶＳＷＲ（Voltage Standing wave Ratio）特性
【図７】本発明の第５実施形態の携帯端末装置における整合回路の構成図
【図８】（ａ）本発明の第６実施形態の携帯端末装置の構成図（図面右側）、（ｂ）、（ｃ）本発明の第６実施形態の携帯端末装置における整合後のＶＳＷＲ（Voltage Standing wave Ratio）特性
【図９】（ａ）本発明の第７実施形態の携帯端末装置の構成図（図面右側）、（ｂ）、（ｃ）本発明の第７実施形態の携帯端末装置における整合後のＶＳＷＲ（Voltage Standing wave Ratio）特性
【符号の説明】
【００７８】
１  携帯端末装置
１１、３１  第１のアンテナ素子
１２、１４、３４  第１の無線部
１３、３３  第１の整合回路
２１、４１  第２のアンテナ素子
２２、２４、４４  第２の無線部
２３、４３  第２の整合回路
５１、５２、５３、５４  スイッチ
６１、６２、６３、６４  制御回路
３３１  第１のアンテナ用整合部
３３２、４３２  インピーダンス素子
３３３、４３３  スイッチ
４３１  第２のアンテナ用整合部
【手続補正３】
【補正対象書類名】図面
【補正対象項目名】全図
【補正方法】変更
【補正の内容】
【図１】
2007083390.tif 000012
【図２】
2007083390.tif 000013
【図３】
2007083390.tif 000014
【図４】
2007083390.tif 000015
【図５】
2007083390.tif 000016
【図６】
2007083390.tif 000017
【図７】
2007083390.tif 000018
【図８】
2007083390.tif 000019
【図９】
2007083390.tif 000020
【国際調査報告】
2007083390.tif 000021
2007083390.tif 000022
2007083390.tif 000023
2007083390.tif 000024